(57)【特許請求の範囲】
【請求項１】
セカンダリー基地局デバイスによってユーザーデバイスにユーザープレーン接続が提供される間に前記ユーザーデバイスに制御プレーン接続を提供するように構成されるマスター基地局デバイスであって、
前記ユーザーデバイスからマルチメディアブロードキャスト／マルチキャストサービス（ＭＢＭＳ）関心指標を受信する手段と、
前記ＭＢＭＳ関心指標、及び、前記ユーザーデバイスをサービングするセカンダリセルグループ（ＳＣＧ）のセルとして前記ＭＢＭＳサービスを提供することになるセルを追加するための要求を含む、少なくともひとつのメッセージを、前記セカンダリー基地局デバイスに送信する手段と、
を備える、マスター基地局デバイス。
【請求項２】
マスター基地局デバイスによってユーザーデバイスに制御プレーン接続が提供される間に前記ユーザーデバイスにユーザープレーン接続を提供するように構成されるセカンダリー基地局デバイスであって、
前記ユーザーデバイスからのマルチメディアブロードキャスト／マルチキャストサービス（ＭＢＭＳ）関心指標、及び、前記ユーザーデバイスをサービングするセカンダリセルグループ（ＳＣＧ）のセルとして前記ＭＢＭＳサービスを提供することになるセルを追加するための要求を含む、少なくともひとつのメッセージを、前記マスター基地局デバイスから受信する手段
を備える、セカンダリー基地局デバイス。
【請求項３】
セカンダリー基地局デバイスによってユーザーデバイスにユーザープレーン接続が提供される間に前記ユーザーデバイスに制御プレーン接続を提供するように構成されるマスター基地局デバイスによって実行される方法であって、
前記ユーザーデバイスからマルチメディアブロードキャスト／マルチキャストサービス（ＭＢＭＳ）関心指標を受信することと、
前記ＭＢＭＳ関心指標、及び、前記ユーザーデバイスをサービングするセカンダリセルグループ（ＳＣＧ）のセルとして前記ＭＢＭＳサービスを提供することになるセルを追加するための要求を含む、少なくともひとつのメッセージを、前記セカンダリー基地局デバイスに送信することと、
を含む、方法。
【請求項４】
マスター基地局デバイスによってユーザーデバイスに制御プレーン接続が提供される間に前記ユーザーデバイスにユーザープレーン接続を提供するように構成されるセカンダリー基地局デバイスによって実行される方法であって、
前記ユーザーデバイスからのマルチメディアブロードキャスト／マルチキャストサービス（ＭＢＭＳ）関心指標、及び、前記ユーザーデバイスをサービングするセカンダリセルグループ（ＳＣＧ）のセルとして前記ＭＢＭＳサービスを提供することになるセルを追加するための要求を含む、少なくともひとつのメッセージを、前記マスター基地局デバイスから受信すること
を含む、方法。
【請求項５】
請求項３または請求項４に記載の方法を、プログラム可能な通信装置に実行させるためのプログラム。
【発明の詳細な説明】
【技術分野】
【０００１】
本発明は、セルラー又はワイヤレス電気通信ネットワークにおける無線アクセスネットワークに関し、詳細には、限定はしないが、３ＧＰＰ標準規格、又はそれと同等の標準規格若しくはそこから派生した標準規格に従って動作するネットワークに関する。本発明は、限定はしないが、特にＵＴＲＡＮのロングタームエボリューション（ＬＴＥ）（発展型ユニバーサル地上無線アクセスネットワーク（Ｅ−ＵＴＲＡＮ：Evolved Universal Terrestrial Radio Access Network）と呼ばれる）に関連し、そのようなネットワークと通信しているユーザー通信デバイスにサービングしている基地局間で情報を交換することに関連する。
【背景技術】
【０００２】
セルラー通信ネットワークにおいて、ユーザー通信デバイス（移動電話のような、ユーザー機器（ＵＥ）又は移動端末としても知られている）が、基地局を介して、リモートサーバーと、又は他のユーザー通信デバイスと通信する。ＬＴＥ基地局は「エンハンストＮｏｄｅＢ」（ｅＮＢ）としても知られている。ユーザー通信デバイスが基地局を介してＬＴＥネットワークにアタッチするとき、モビリティ管理エンティティ（ＭＭＥ）と呼ばれるコアネットワークエンティティが、ユーザー通信デバイスと、コアネットワーク内のゲートウェイとの間にデフォルトの発展型パケットシステム（ＥＰＳ）ベアラーを設定する。ＥＰＳベアラーは、ネットワーク内の送信経路を規定し、リモートサーバー又は他のユーザー通信デバイスと通信するためにユーザー通信デバイスによって使用されることになるＩＰアドレスをユーザー通信デバイスに割り当てる。また、ＥＰＳベアラーは、ユーザー通信デバイスに関連付けられる加入によって規定され、ユーザー通信デバイスのネットワークにおける登録時にＭＭＥによって確立される、サービス品質、データレート及びフロー制御パラメーターのような１組のデータ送信特性も有する。
【０００３】
したがって、ＥＰＳベアラーはＭＭＥによって管理され、ＭＭＥは、特定のＥＰＳベアラーを起動するか、変更するか、又は停止する必要があるときにユーザー通信デバイスにシグナリングする。したがって、ユーザー通信デバイスと通信ネットワークとの間には２つの接続が存在する。すなわち、１つは、確立されたＥＰＳベアラーを用いて送信されるユーザーデータのための接続（ユーザープレーン又はＵ−プレーンとしても知られている）であり、もう１つは、ＥＰＳベアラー自体を管理するための接続（制御プレーン又はＣ−プレーンとしても知られている）である。
【０００４】
それらの帯域幅の利用を最適化するために、ＬＴＥ基地局はサービングされる各ユーザー通信デバイスから定期的な信号測定報告を受信し、その報告は、そのユーザー通信デバイスによって用いられる所与の周波数帯域（又はそのユーザー通信デバイスの候補周波数帯域）において感知された信号品質についての情報を含む。これらの信号測定報告は、その後、サービングされるユーザー通信デバイスに帯域幅の或る特定の部分を割り当てるための判断において、更には、信号品質が確立された判定基準を満たさないときに、ユーザー通信デバイスを他の基地局（又は他の周波数帯域／他の無線アクセス技術（ＲＡＴ））にハンドオーバーするための判断において基地局によって用いられる。例えば、ユーザー通信デバイスが移動して所与の基地局から離れたときに、また、干渉問題が生じたときに、ユーザー通信デバイスのハンドオーバーが必要な場合がある。
【０００５】
３ＧＰＰ  ＴＲ３６．９３２（ｖ．１２．１．０）仕様書は、いわゆるスモールセル強化シナリオを規定する。この文脈において「スモールセル」は、特に屋内及び屋外のホットスポット展開の場合にモバイルトラフィック急増をサポートするために、ＬＴＥに対して検討されている低電力ノード（例えば、ピコｅＮＢ又はフェムトｅＮＢ）のカバレッジエリアを指している。低電力ノードは一般に、マクロノード及び基地局のセル（「マクロセル」）において使用される通常送信電力より低い通常送信電力を用いてセル（「スモールセル」）を運用しているノードを指している。
【０００６】
スモールセル強化シナリオのうちの幾つかは、分離制御プレーン／ユーザープレーンアーキテクチャー（「Ｃ／Ｕ分離」とも呼ばれる）に基づいており、そのアーキテクチャーでは、ユーザー通信デバイスが、マクロセル（プライマリーセル「Ｐセル」又はプライマリーセルグループ「ＰＣＧ」として動作している）を介して通信ネットワークとの制御プレーン接続を維持し、それと同時に、１つ又は複数の「スモールセル」（セカンダリーセル「Ｓセル」又はセカンダリーセルグループ「ＳＣＧ」として動作している）を介してユーザープレーン接続を維持するように構成され、それにより、マクロセルの負荷を低減する。実効的には、この場合、ユーザー通信デバイスは２つの別々のノード（すなわち、マクロ基地局及び低電力ノード）を介して２つの別々の無線接続を使用しており、一方はユーザーデータを送信／受信するために使用され、もう一方はモビリティ管理、セキュリティ制御、認証、通信ベアラーの設定等のユーザー通信デバイスの動作を制御するために使用される。この場合、制御プレーンを扱うノード（例えば、マクロ基地局）はマスター基地局（ＭｅＮＢ）と呼ばれ、一方、ユーザープレーンを扱うノード（例えば、ピコ基地局）はセカンダリー基地局（ＳｅＮＢ）と呼ばれる。当然、全てのユーザープレーンデータがＳｅＮＢを通して送信されるとは限らない場合があり、幾つかのユーザープレーンデータは、ＭｅＮＢを介して送信することもできる。
【０００７】
現在のユーザー通信デバイスは通常、ＬＴＥだけでなく、複数の無線技術をサポートする。ユーザー通信デバイスは、例えば、Ｂｌｕｅｔｏｏｔｈ（登録商標）又はＷｉ−Ｆｉ送受信機のような、産業科学医療（ＩＳＭ：Industrial, Scientific and Medical）無線帯域において動作する送受信機及び／又は受信機を含む場合もある。さらに、ユーザー通信デバイスは、位置決め機能及び関連する回路、例えば、全地球的航法衛星システム（ＧＮＳＳ）送受信機及び／又は受信機を含む場合もある。ＩＳＭ及びＧＮＳＳ（これ以降、一般に非ＬＴＥと呼ばれる）の両方の無線技術は、ＬＴＥ周波数帯域に近いか、又は部分的に重なる周波数帯域を使用する。これらの非ＬＴＥ周波数帯域のうちの幾つかは、特定の用途（例えば、全地球測位システム（ＧＰＳ）帯域）のために許可されているか、又は無免許の帯域である場合があり、複数の無線技術（ＩＳＭ周波数帯域の同じ範囲を使用するＢｌｕｅｔｏｏｔｈ及びＷｉ−Ｆｉ標準規格等）によって使用することができる。それゆえ、これらの非ＬＴＥ周波数帯域が使用される方法は、ＬＴＥ標準規格によっては扱われず、ＬＴＥ基地局によって制御されない。
【０００８】
しかしながら、非ＬＴＥ周波数帯域における送信は、それにもかかわらず、重なり合う周波数帯域又は隣接する周波数帯域において特に、ＬＴＥ帯域における送信との望ましくない干渉を依然として引き起こす（又はＬＴＥ帯域における送信から生じる望ましくない干渉を受ける）。同じユーザー通信デバイスにおいて同時に通信が行われる（例えば、ＬＴＥ及び非ＬＴＥ無線技術が同時に使用される）結果として干渉が生じるとき、その干渉は「デバイス内共存（ＩＤＣ：in-device coexistence）干渉」と呼ばれる場合もあり、その干渉は「デバイス内共存（ＩＤＣ）状況」を引き起こす。そのようなＩＤＣ状況は、ユーザー通信デバイスによって（場合によっては、サービング基地局の支援を受けて）対処することができ、それはＩＤＣ解決法と呼ばれる。
【０００９】
Ｃ／Ｕ分離シナリオでは、サービング基地局（例えば、ＭｅＮＢ及びＳｅＮＢ）は、適切にフォーマットされたＲＲＣコンテナー（ノード間メッセージ）を用いて、自らがサービングしているユーザー通信デバイスの構成に関連する情報を（基地局間に設けられるＸ２インターフェースを介して）交換することができる。言い換えると、基地局は、基地局間で送信されるＸ２メッセージ内にＲＲＣメッセージを含むことができる。ＲＲＣコンテナーは、詳細には、ＩＤＣ状況、カウンターチェック、（ＵＥ固有）情報要求／応答、ブロードキャスト／マルチキャストサービス（例えば、サービスに関心があるという指標を与えるため）、及び／又は測定構成及び報告等に関連する手順のために用いられる場合がある。
【発明の概要】
【発明が解決しようとする課題】
【００１０】
Ｃ／Ｕ分離シナリオにおいて、いずれかの無線接続（及び／又はＩＳＭ接続）上で通信問題（例えば、干渉）が生じる場合がある。しかしながら、ユーザー通信デバイスは、マクロ基地局との制御プレーンを維持するように構成され、それゆえ、マクロ基地局から自らのＩＤＣ構成（「ｉｄｃ−ｃｏｎｆｉｇ」）設定（存在する場合）のみを受信することができる。そのようなＩＤＣ構成設定は、マクロセル（Ｃ／Ｕプレーン分離の場合、制御プレーンのみを搬送する）において、及び／又はスモールセル（ユーザープレーンを搬送する）において生じるＩＤＣ状況を扱うように適応することができる。さらに、ユーザー通信デバイスは、マクロ基地局に（制御プレーン接続を介して）直接ＩＤＣ支援指標を送信することができ、ユーザープレーン接続を扱っているスモールセル基地局には、マクロ基地局を介して間接的にＩＤＣ支援指標を送信することができる。
【００１１】
しかしながら、そのようなＩＤＣ手順、及びユーザー通信デバイスと、複数の基地局とが関与する他の類似の手順（例えば、カウンターチェック手順、ネットワーク設定、及び／又はブロードキャスト／マルチキャストサービスの提供等）は、関与する種々のエンティティ間の複雑なシグナリングを必要とする。ユーザー通信デバイスはマクロ基地局との制御プレーン接続のみを有するので、場合によっては、基地局ごとの既存手順を適用できない。
【課題を解決するための手段】
【００１２】
それゆえ、本発明者らは、Ｃ／Ｕ分離が実施されているときに、そのようなネットワークエンティティ間の通信を改善する必要があることを確認している。
【００１３】
本発明は、その一態様として、セカンダリー基地局デバイスによってユーザーデバイスにユーザープレーン接続が提供される間に前記ユーザーデバイスに制御プレーン接続を提供するように構成されるマスター基地局デバイスであって、前記ユーザーデバイスからマルチメディアブロードキャスト／マルチキャストサービス（ＭＢＭＳ）関心指標を受信する手段と、前記ＭＢＭＳ関心指標、及び、前記ユーザーデバイスをサービングするセカンダリセルグループ（ＳＣＧ）のセルとして前記ＭＢＭＳサービスを提供することになるセルを追加するための要求を含む、少なくともひとつのメッセージを、前記セカンダリー基地局に送信する手段と、を備える、マスター基地局デバイスを提供する。
【００１４】
また、本発明は、他の一態様として、マスター基地局デバイスによってユーザーデバイスに制御プレーン接続が提供される間に前記ユーザーデバイスにユーザープレーン接続を提供するように構成されるセカンダリー基地局デバイスであって、前記ユーザーデバイスからのマルチメディアブロードキャスト／マルチキャストサービス（ＭＢＭＳ）関心指標、及び、前記ユーザーデバイスをサービングするセカンダリセルグループ（ＳＣＧ）のセルとして前記ＭＢＭＳサービスを提供することになるセルを追加するための要求を含む、少なくともひとつのメッセージを、前記マスター基地局デバイスから受信する手段を備える、セカンダリー基地局デバイスを提供する。
【００１５】
また、本発明は、他の一態様として、セカンダリー基地局デバイスによってユーザーデバイスにユーザープレーン接続が提供される間に前記ユーザーデバイスに制御プレーン接続を提供するように構成されるマスター基地局デバイスによって実行される方法であって、前記ユーザーデバイスからマルチメディアブロードキャスト／マルチキャストサービス（ＭＢＭＳ）関心指標を受信することと、前記ＭＢＭＳ関心指標、及び、前記ユーザーデバイスをサービングするセカンダリセルグループ（ＳＣＧ）のセルとして前記ＭＢＭＳサービスを提供することになるセルを追加するための要求を含む、少なくともひとつのメッセージを、前記セカンダリー基地局に送信することと、を含む、方法を提供する。
【００１６】
また、本発明は、他の一態様として、マスター基地局デバイスによってユーザーデバイスに制御プレーン接続が提供される間に前記ユーザーデバイスにユーザープレーン接続を提供するように構成されるセカンダリー基地局デバイスによって実行される方法であって、前記ユーザーデバイスからのマルチメディアブロードキャスト／マルチキャストサービス（ＭＢＭＳ）関心指標、及び、前記ユーザーデバイスをサービングするセカンダリセルグループ（ＳＣＧ）のセルとして前記ＭＢＭＳサービスを提供することになるセルを追加するための要求を含む、少なくともひとつのメッセージを、前記マスター基地局デバイスから受信することを含む、方法を提供する。
【００１７】
また、本発明は、他の一態様として、上述の方法を、プログラム可能な通信装置に実行させるためのプログラムを提供する。
【００１８】
次に、本発明の実施形態を、例として、添付の図面を参照しながら説明する。
【図面の簡単な説明】
【００１９】
【図１】本発明が適用可能であるタイプの移動電気通信システムを示す概略図である。
【図２】図１に示される移動電気通信システムのユーザー通信デバイス内に実装される種々の無線送受信機回路を示す概略図である。
【図３】図１に示される移動電気通信システムの一部を形成するユーザー通信デバイスのブロック図である。
【図４】図１に示される移動電気通信システムの一部を形成する基地局のブロック図である。
【図５】分離制御プレーン／ユーザープレーン機能が実施されているときの図１に示される電気通信システムの要素の例示的な概説図である。
【図６】図１に示される移動電気通信システムの一部を形成するノードによって実行されるデバイス内共存手順を示す例示的なタイミング図である。
【図７】図１に示される移動電気通信システムの一部を形成するノードによって実行されるカウンターチェック手順を示す例示的なタイミング図である。
【図８】図１に示される移動電気通信システムの一部を形成するノードによって実行される情報要求手順を示す例示的なタイミング図である。
【図９】図１に示される移動電気通信システムの一部を形成するノードによって実行されるブロードキャスト／マルチキャストサービス手順を示す例示的なタイミング図である。
【図１０】図１に示される移動電気通信システムの一部を形成するノードによって実行される測定構成及び報告手順を示す例示的なタイミング図である。
【発明を実施するための形態】
【００２０】
概説
図１は移動（セルラー）電気通信システム１を概略的に示しており、このシステムにおいて、通信デバイス３（例えば、移動電話）のユーザーが、複数のセル６Ａ〜６Ｄを動作させる複数の基地局５−１、５−２のそれぞれと、コアネットワーク７とを介して他のユーザーと通信することができる。図１に示されるシステムでは、基地局５−１はセル６Ａ及び６Ｂを動作させるマクロ基地局であり、基地局５−２はセル６Ｃ及び６Ｄを動作させるピコ基地局（又は他の低電力ノード）である。更なる基地局（図示せず）が、広帯域符号分割多元接続（Ｗ−ＣＤＭＡ）又はグローバル移動通信システム（ＧＳＭ（登録商標）：Global System for Mobile Communications）ＧＳＭ進化型高速データレート（ＥＤＧＥ：Enhanced Data rates for GSM Evolution）無線アクセスネットワーク（ＧＥＲＡＮ）標準規格等の異なる標準規格に従って動作する場合がある。
【００２１】
各セル６Ａ〜６Ｄは、ユーザー通信デバイス３と対応する基地局５との間のワイヤレス通信のために利用可能である複数のアップリンク及びダウンリンク通信リソース（チャネル、サブキャリア、タイムスロット等）を有する。この実施形態では、説明を簡単にするために、ユーザー通信デバイス３は、それぞれの基地局５−１及び５−２との（例えば、セル６Ａを介した）１つの制御プレーン接続及び（例えば、セル６Ｃを介した）１つのユーザープレーン接続を有すると仮定されるが、展開されたシステムでは、ユーザー通信デバイス３は、複数の基地局との複数のユーザープレーン接続及び複数の制御プレーン接続を同時に有することができる。この例では、基地局５によって利用される無線アクセス技術（ＲＡＴ）は、周波数分割多重（ＦＤＤ）又は時分割多重（ＴＤＤ）のいずれかに従って動作する。
【００２２】
ＴＤＤでは、（基地局５の）通信チャネルの時間領域が固定長の幾つかの周期的なタイムスロットに分割され、それらのタイムスロットにおいて、基地局５との間の通信をスケジューリングすることができる。ＴＤＤにおいて動作中に、各データストリームをそのチャネルの異なるタイムスロットにスケジューリングする（実際には、「代わる代わる使用する」）ことによって、１つの通信チャネルのサブチャネルにおいて、基地局５とユーザー通信デバイス（複数の場合もある）３との間の２つ以上のデータストリームを見掛け上同時に転送することができる。ＦＤＤでは、基地局５が利用可能な帯域幅は、重なり合わない一連の周波数サブ帯域に分割され、各サブ帯域は基地局５を介して通信するためにユーザー通信デバイス３に割り当てることができる周波数リソースを含む。
【００２３】
サービング基地局５は、ユーザー通信デバイス３に送信されることになるデータ量に応じて、そのデバイスにダウンリンクリソースを割り当てる。同様に、基地局５は、ユーザー通信デバイス３が基地局５に送信しなければならないデータ量及びデータタイプに応じて、ユーザー通信デバイス３にアップリンクリソースを割り当てる。アップリンク及びダウンリンクリソースは通常、特定の基地局５によって用いられる周波数範囲内の周波数リソースのブロックである物理リソースブロック（ＰＲＢ）を含む。
【００２４】
この実施形態では、ユーザー通信デバイス３は、マクロ基地局５−１との制御プレーン接続及びピコ基地局５−２とのユーザープレーン接続を別々にサポートする（Ｃ／Ｕ分離）。この分離Ｃ／Ｕモードにおいて動作するとき、マクロ基地局５−１はＭｅＮＢと呼ばれる場合があり、ピコ基地局５−２はＳｅＮＢと呼ばれる場合がある。Ｃ／Ｕ分割機能は、例えば、現在のネットワーク負荷、ユーザー通信デバイス３によって報告された信号状態等に起因して、マクロ基地局５−１によってトリガーされる場合がある。それゆえ、マクロ基地局５−１が、Ｃ／Ｕ分割機能が好都合である（かつ、Ｃ／Ｕ分割機能がユーザー通信デバイス３によってサポートされる）と判断する場合には、マクロ基地局５−１は、適切な低電力ノード（ピコ基地局５−２等）を選択し、そのユーザー通信デバイス３のための新たなユーザープレーン接続を選択されたノード５−２に設定する（又は既存のユーザープレーン接続を移動させる）（ただし、このユーザー通信デバイス３ための制御プレーン接続は依然として自らを介してルーティングする）。
【００２５】
以下の説明から明らかになるように、それらの実施形態は、このＣ／Ｕ分離モードにおいて動作しているときに、システムのより良好な動作を容易にするために、マスター基地局５−１とピコ基地局５−２との間のメッセージング能力を高めることを目的とする。詳細には、基地局５は、ユーザー通信デバイス３とそのサービング基地局５との間のエアインターフェースを介して使用するために標準的に予約される異なるプロトコル（ＲＲＣプロトコル等）を用いて、Ｘ２インターフェースを介して通信するように構成される。有益なことに、Ｘ２ＲＲＣコンテナーを使用することによって、ピコ基地局５−２とユーザー通信デバイス３との間でマクロ基地局５−１を介して制御プレーン機能を提供できるようになり、それにより、ユーザー通信デバイス３と、マクロ基地局５−１と、ピコ基地局５−２との間の通信をより最適化できるようになる。
デバイス内共存状況
【００２６】
この実施形態において、ユーザー通信デバイス３は、産業科学医療（ＩＳＭ）周波数帯域のリソースを使用する無線技術のような非ＬＴＥ無線技術を用いて通信することもできる。例えば、ユーザー通信デバイス３は、電気電子技術者協会（ＩＥＥＥ）によって規定される標準規格の８０２．１１ファミリのうちの１つに従って動作するワイヤレスローカルエリアネットワーク（ＷＬＡＮ）（図示せず）のＷｉ−Ｆｉアクセスポイント８と通信することができる。ユーザー通信デバイス３は、例えば、Ｂｌｕｅｔｏｏｔｈスペシャルインタレストグループ（ＳＩＧ）によって規定されるＢｌｕｅｔｏｏｔｈ標準規格に従って動作するワイヤレスヘッドセット９と通信することもできる。さらに、ユーザー通信デバイス３は、ポジショニング技術もサポートし、したがって、例えば、ＧＰＳ信号を用いて測位衛星１０と通信する。
【００２７】
ユーザー通信デバイス３とアクセスポイント８、ワイヤレスヘッドセット９及び／又は測位衛星１０との間の通信は、ユーザー通信デバイス３と基地局（複数の場合もある）５との間の通信と実質的に同時に生じる場合があり、この同時通信が望ましくない干渉（すなわち、ＩＤＣ干渉）を引き起こす可能性がある。
【００２８】
ＩＤＣ干渉の問題が図２において更に示されており、図２は、例示にすぎないが、図１に示されるユーザー通信デバイス３において実現される種々の無線送受信機回路を概略的に示す。図２に示されるように、ユーザー通信デバイス３は、ＬＴＥベースバンド回路３００ａと、ＧＮＳＳベースバンド回路３００ｂと、ＩＳＭベースバンド回路３００ｃとを備える。各ベースバンド回路３００ａ〜３００ｃは無線周波数（ＲＦ）送受信機（又は受信機）、すなわち、ＬＴＥ送受信機３０１ａ、ＧＮＳＳ送受信機３０１ｂ及びＩＳＭ送受信機３０１ｃにそれぞれ結合される。ＬＴＥ帯域内の通信はＬＴＥアンテナ３０３ａを用いて実行される。同様に、非ＬＴＥ帯域内の通信は、それぞれのＧＮＳＳアンテナ３０３ｂ及び／又はＩＳＭアンテナ３０３ｃを用いて実行される。
【００２９】
非ＬＴＥ周波数帯域内の送信は、重なり合う周波数帯域又は隣接する周波数帯域において特に、ＬＴＥ帯域における送信との望ましくない干渉を引き起こす（又はＬＴＥ帯域における送信から生じる望ましくない干渉を受ける）場合がある。例えば、図２において破線矢印によって示されるように、送受信機３０１ａ〜３０１ｃのいずれかが、同じユーザー通信デバイス３内で動作している他の送受信機のうちのいずれか１つからの干渉を被る場合がある。
【００３０】
しかしながら、非ＬＴＥ無線技術はユーザー通信デバイス３自体によって、又はその付近にある他の通信デバイスによって使用される場合があること、及びこれらの無線技術は関連する標準規格（すなわち、ＬＴＥ以外）に準拠するが、それでもユーザー通信デバイス３のＬＴＥ送信に対して望ましくない干渉を引き起こす（又はＬＴＥ送信から干渉を受ける）場合があることに留意されたい。これは、エンドユーザーがＬＴＥ送受信機３０１ａと同時にＩＳＭ送受信機３０１ｂ／３０１ｃを運用しているとき、例えば、ユーザーがＢｌｕｅｔｏｏｔｈヘッドセット９を用いてボイスオーバーＩＰ（ＶｏＩＰ）コールを行っているときに特に当てはまる。この場合、基地局から受信されるＬＴＥ音声データは同じユーザー通信デバイス３内に実装されるＩＳＭ送受信機３０１ｃを用いてヘッドセット９に中継されるので、ＬＴＥ送信及びＩＳＭ送信は互いに干渉することは理解されよう。
【００３１】
別の通常のシナリオでは、ユーザー通信デバイス３のＬＴＥ送受信機３０１ａは、ＧＮＳＳ受信機３０１ｂ（例えば、ＧＰＳ受信機）との干渉を引き起こし、ユーザー通信デバイス３の現在位置を入手するのを難しくする可能性がある。この場合、ＬＴＥ信号に対する明らかな中断は生じない（ユーザー通信デバイス３による信号品質測定値は許容可能な信号条件を示すことになる）が、ユーザー通信デバイス３によるＬＴＥ送信は、ユーザー通信デバイス３のＧＮＳＳ受信機３０１ｂに対してＬＴＥ送受信機３０１ａによって引き起こされる干渉のために、ＧＮＳＳ機能を使用不可能にする可能性がある。
【００３２】
ＩＤＣ干渉に起因する問題を軽減できるようにするために、ユーザー通信デバイス３は、そのサービング基地局５に対してＩＤＣ能力を示す。ユーザー通信デバイス３の受信されたＩＤＣ能力が、ユーザー通信デバイス３が少なくとも幾つかのＩＤＣ干渉軽減措置を講じることができることを示す場合には、サービング基地局５は、ＩＤＣ干渉に自律的に対処するように（いわゆる、「ｉｄｃ−ｃｏｎｆｉｇ」設定を与えることによって）ユーザー通信デバイスを構成する。それゆえ、ユーザー通信デバイス３がＩＤＣ状況に起因する干渉を受けるとき、ユーザー通信デバイス３は、「ｉｄｃ−ｃｏｎｆｉｇ」設定に従ってＬＴＥ送信及び／又は非ＬＴＥ送信を調整することができ、それにより、受けた干渉を低減又は解消することができる。詳細には、ユーザー通信デバイス３は、「ｉｄｃ−ｃｏｎｆｉｇ」パラメーターにおいて規定される限度／速度まで、その（既にスケジューリングされており、それゆえ、予想される）ＬＴＥ送信を「拒否する」（すなわち、一時中止するか、又は遅らせる）ことをネットワークによって許される。基本的に、これにより、ユーザー通信デバイス３は、ネットワーク１によって行われるＬＴＥスケジューリング決定を一時的に無効にできるようになり、そのＬＴＥ送信が「自律的に」一時中止されている間に、ＩＳＭシグナリングを実行できるようになる。
【００３３】
しかしながら、「ｉｄｃ−ｃｏｎｆｉｇ」が基地局５によって与えられた場合であっても、幾つかのＩＤＣ干渉状況は、ユーザー通信デバイス３によって単独で解決することはできない。この場合、ユーザー通信デバイス３は、ＩＤＣ状況をネットワークに通知するために、ＩＤＣ指標をネットワークに（例えば、アップリンクＲＲＣメッセージにおいて）送信することが必要な場合がある。そのような状況に対処するために、３ＧＰＰ標準規格は、ユーザー通信デバイス３が問題を単独で解決できないときに、ＩＤＣ状況を解決しようとするためにネットワーク（すなわち、ＬＴＥ基地局）が使用することができる３つの技法を規定する。３つの技法は、ＴＤＭ（時分割多重化）解決法、ＦＤＭ（周波数分割多重化）解決法及び電力制御解決法を含む。ＴＤＭ解決法は、無線信号の送信が別の無線信号の受信と同時に起こらないのを確実にする。ＦＤＭ解決法は、ユーザー通信デバイスのために、干渉を受けている周波数とは別のサービング周波数を選択することからなる。電力制御解決法は、干渉の影響を軽減するために、無線送信電力を低減することを目的とする。
【００３４】
これらの技法の更なる詳細は、３ＧＰＰ  ＴＳ３６．３００標準規格書（ｖ．１２．０．０）のセクション２３．４において確認することができる。「ｉｄｃ−ｃｏｎｆｉｇ」設定の詳細は、３ＧＰＰ  ＴＳ３６．３３１標準規格書（ｖ．１２．０．０）において確認することができる。両方の内容は引用することにより本明細書の一部をなす。
【００３５】
ユーザー通信デバイス
図３は、図１に示される移動電気通信システム１の一部を形成するユーザー通信デバイス３のブロック図である。図示されるように、ユーザー通信デバイス３は、基地局５、測位衛星１０及びアクセスポイントとの間でそれぞれ（１つ又は複数の関連するアンテナ３０３ａ〜３０３ｃを介して）信号を送受信するように動作可能である送受信機回路３０１ａ〜３０１ｃを含む。ユーザー通信デバイス３は、コントローラー３０７によって制御され、ユーザーがユーザー通信デバイス３とやりとりできるようにするユーザーインターフェース３０５も含む。
【００３６】
コントローラー３０７は、メモリ３０９に記憶されるソフトウェア及びデータに従って送受信機３０１ａ〜３０１ｃの動作を制御する。ソフトウェアは、数ある中でも、オペレーティングシステム３１１と、ＬＴＥモジュール３１３と、ＲＲＣモジュール３１４と、ＩＳＭモジュール３１５と、ＧＮＳＳモジュール３１７と、干渉検出モジュール３１９と、報告モジュール３２１と、ＳＯＮモジュール３２３と、ＭＢＭＳモジュール３２５と、信号測定モジュール３２７とを含む。図３のモジュール３１５〜３２７（破線において示される）は任意選択であることは理解されよう。
【００３７】
ＬＴＥモジュール３１３は、ＬＴＥ無線技術を用いて、ユーザー通信デバイス３の通信を制御する。ＬＴＥモジュール３１３は、基地局５から（ＬＴＥ送受信機回路３０１ａ及びＬＴＥアンテナ３０３ａを介して）命令を受信し、それらの命令をメモリ３０９に記憶する。受信された命令に基づいて、ＬＴＥモジュール３１３は、ＬＴＥ通信において用いられる、適切な周波数帯域、送信電力、変調モード等を選択するように動作可能である。また、ＬＴＥモジュール３１３は、基地局５がサービングしているユーザー通信デバイスの間でリソースを割り当てる際に基地局５を支援するために、送信するためにスケジューリングされたアップリンクデータ及び／又はダウンリンクデータの量及びタイプについて基地局５を更新するように動作可能である。
【００３８】
ＬＴＥ３１３は、ユーザー通信デバイス３とそのサービング基地局（複数の場合もある）５との間のＲＲＣシグナリングメッセージを扱うための（すなわち、生成、送信、及び受信する）ＲＲＣモジュール３１４を含む。以下で更に詳細に説明されるように、ユーザー通信デバイス３のためにＣ／Ｕ分離が構成されたとき、ＲＲＣモジュール３１４は、ピコ基地局５−２（ユーザープレーンを扱う）と間接的に、すなわち、マクロ基地局５−１を介してＲＲＣシグナリングを通信する。
【００３９】
ＬＴＥモジュール３１３は、各送信機回路３０１ａ〜３０１ｃを介して送信されるデータ量をカウントするためのデータカウンター（図示せず）も含む。基地局５によって要求されるとき、ＲＲＣモジュール３１４は、要求している基地局５に送信される適切なＲＲＣメッセージに、送信されたデータ量に関連する（データカウンターによって与えられた）情報を含む。
【００４０】
ＩＳＭモジュール３１５が存在する場合、このＩＳＭモジュール３１５は、ユーザー通信デバイス３のＩＳＭ通信を制御する。その際、ＩＳＭモジュール３１５は、例えば、アクセスポイント８から受信したデータを使用する場合があり、及び／又はワイヤレスヘッドセット９と通信する場合がある。
【００４１】
ＧＮＳＳモジュール３１７が存在する場合、このＧＮＳＳモジュール３１７はユーザー通信デバイス３の現在の地理的位置を取得し、ユーザー通信デバイス３のＧＮＳＳ通信を制御する。その際に、ＧＮＳＳモジュール３１７は、例えば、測位衛星１０から受信されたデータを使用する場合がある。
【００４２】
任意の受信された制御データとは別に、デフォルト制御パラメーターがメモリ３０９に記憶される場合があり、ユーザー通信デバイス３の通信を必要に応じて制御するために、ＬＴＥ／ＩＳＭ／ＧＮＳＳモジュール３１３〜３１７のいずれかが使用する場合がある。
【００４３】
干渉検出モジュール３１９が存在する場合、この干渉検出モジュール３１９は、ＬＴＥモジュール３１３、ＩＳＭモジュール３１５及びＧＮＳＳモジュール３１７による通信に対して引き起こされる干渉を検出するように動作可能である。詳細には、干渉検出モジュールは、ＬＴＥモジュール３１３、ＩＳＭモジュール３１５及びＧＮＳＳモジュール３１７のいずれかによる通信の共存に起因して生じた干渉を検出するように動作可能である。干渉検出モジュール３１９は、例えば、基準信号受信電力（ＲＳＲＰ）、受信電力受信品質（ＲＳＲＱ）測定等の信号測定を実行することによって、干渉を検出することができる。また、干渉検出モジュール３１９は、送受信機回路３０１ａ〜３０１ｃの動作を監視し、例えば、送受信機回路３０１ａ〜３０１ｃを用いた通信のためのビットレート（又は誤り率、誤り数）の指標を確立することによって、干渉を検出することもできる。
【００４４】
報告モジュール３２１が存在する場合、この報告モジュール３２１は、ＩＤＣ支援情報を生成し、その情報を基地局５に送信するように動作可能である。その際に、報告モジュール３２１は、ＬＴＥモジュール３１３、ＩＳＭモジュール３１５、ＧＮＳＳモジュール３１７、干渉検出モジュール３１９及び／又は信号測定モジュール３２７から必要に応じてデータを入手するように動作可能である。報告モジュール３２１は、ＬＴＥ送受信機３０１ａを介して基地局５に関連するメッセージを送信することによって、デバイス内干渉の発生を示す。そのメッセージは、専用無線リソース制御（ＲＲＣ）メッセージ（例えば、ＲＲＣ  ＩｎＤｅｖｉｃｅＣｏｅｘｉｓｔｅｎｃｅ  Ｉｎｄｉｃａｔｉｏｎメッセージ等）を含むことができるが、任意の適切なシグナリングを用いることができる。また、報告モジュール３２１は、信号測定モジュール３２７によって与えられる測定結果を含む測定報告を生成し、基地局５に送信するように動作可能である。
【００４５】
ＳＯＮモジュール３２３が存在する場合、このＳＯＮモジュール３２３は、自己組織化ネットワークとの通信に関連する機能を制御する。例えば、ＳＯＮモジュール３２３は、ユーザー通信デバイス３を伴うＳＯＮを設定するためにサービング基地局５と構成データを通信する。詳細には、ＳＯＮモジュール３２３は、ユーザー通信デバイス３がＳＯＮ機能をサポートするか否かを識別する情報を送信することができる。
【００４６】
ＭＢＭＳモジュール３２５が存在する場合、このＭＢＭＳモジュール３２５は、ブロードキャスト／マルチキャストシグナリングを用いて通信を制御する。詳細には、ＭＢＭＳモジュール３２５は、基地局５のセル６を介して送信されるＭＢＭＳサービスの受信を制御する。ＭＢＭＳモジュール３２５は、例えば、特定のＭＢＭＳサービスの受信前に、そのＭＢＭＳサービスを受信する際に（ユーザー通信デバイス３の）ユーザーの関心を識別する指標を基地局５のうちの１つに与えることができる。そのような関心指標は、例えば、基地局５のうちの１つによって要求されるときに、及び／又はユーザー通信デバイス３によって自律的に（例えば、ユーザーの関心が変化すると）送信される場合がある。
【００４７】
信号測定モジュール３２７は、ネットワーク（例えば、基地局５）によって与えられる測定構成に従って信号測定を実行する。信号測定モジュール３２７は、基地局５に（報告モジュール３２１を介して）測定結果も送信する。
【００４８】
基地局
図４は、図１に示される移動電気通信システム１の一部を形成する基地局５のブロック図である。例示される基地局５は一般的であり、マクロ基地局５−１又はピコ基地局５−２のいずれかとすることができる。図示されるように、基地局５は、１つ又は複数のアンテナ５０３を介してユーザー通信デバイス３に対し信号を送受信するように動作可能であり、ネットワークインターフェース５０５（銅又は光ファイバインターフェースとすることができる）を介してコアネットワーク７及び他の基地局５に対し信号を送受信するように動作可能である送受信機回路５０１を含む。コアネットワーク７への接続はＳ１インターフェースを経由し、他の基地局への接続はＸ２インターフェースを経由する。コントローラー５０７は、メモリ５０９に記憶されるソフトウェア及びデータに従って、送受信機回路５０１の動作を制御する。ソフトウェアは、数ある中でも、オペレーティングシステム５１１、通信制御モジュール５１３及びＸ２ＲＲＣコンテナーモジュール５２０を含む。任意選択で、通信制御モジュール５１３は、測定構成モジュール５１４と、スケジューラーモジュール５１５と、干渉管理モジュール５１６と、ＳＯＮモジュール５１７と、カウンターチェックモジュール５１８と、ＭＢＭＳモジュール５１９とを更に含むことができる。
【００４９】
通信制御モジュール５１３は、送受信機回路５０１及び１つ又は複数のアンテナ５０３を介して、基地局５と外部デバイスとの間の通信を制御する。
【００５０】
測定構成モジュール５１４は、例えば、適切にフォーマットされた（ＲＲＣ）メッセージを生成、送信、及び受信することによって、ユーザー通信デバイス３のための信号測定を構成する。測定構成モジュール５１４は、１つ又は複数の信号測定を実行し、そのような測定の結果を折り返し報告するように、ユーザー通信デバイス３に要求するように動作可能である。そのために、測定構成モジュール５１４は、ユーザー通信デバイス３に送信されるメッセージにおいて適切な情報要素（例えば、「ｍｅａｓｃｏｎｆｉｇ」ＩＥ）を与えるように動作可能である。また、測定構成モジュール５１４は、ユーザー通信デバイス３から得られた任意の測定結果を処理し、適切な場合には、ユーザー通信デバイス３のためのハンドオーバーを開始するように（測定結果に基づいて）通信制御モジュール５１３に要求する責任を負う。
【００５１】
スケジューラーモジュール５１５は、アップリンクリソース及びダウンリンクリソースの割当てのためにユーザー通信デバイス３からの要求を受信し、処理する。また、スケジューラーモジュール５１５は、干渉管理モジュール５１６から、任意の干渉低減措置を特定する情報を入手するように動作可能であり、影響を受けたユーザー通信デバイス３にリソースを割り当てるときに、これらの情報を考慮に入れる。
【００５２】
干渉管理モジュール５１６は、ユーザー通信デバイス３から支援情報を受信し、処理する。また、干渉管理モジュール５１６は、隣接する基地局５の能力、プリファレンス及び動作パラメーターに関連する情報を入手し、情報は、その後、メモリ５０９に記憶される。また、干渉管理モジュール５１６は、得られた支援情報と、隣接する基地局５から得られた情報とに基づいて、例えば、この基地局５によって、及び／又は別の基地局（Ｃ／Ｕ分離が実施されている場合）によってサービングされるユーザー通信デバイス３への時間リソース及び／又は周波数リソースの割当てを管理することによって、ユーザー通信デバイス３においてＩＤＣ干渉を低減するために講じられる適切な措置を決定するように動作可能である。
【００５３】
ＳＯＮモジュール５１７が存在する場合、このＳＯＮモジュール５１７は、自己組織化ネットワークとの基地局５の通信に関連する機能を制御する。例えば、ＳＯＮモジュール５１７は、基地局５を伴うＳＯＮを設定するために他の基地局５及び／又はユーザー通信デバイス３と構成データを通信する。詳細には、ＳＯＮモジュール５１７は、特定の基地局５及び／又はユーザー通信デバイス３がＳＯＮ機能をサポートするか否かを識別する情報を受信することができる。
【００５４】
カウンターチェックモジュール５１８は、ユーザー通信デバイス３によって送信及び／又は受信されたデータ量に関連する情報を（例えば、要求時に）取得し、ユーザー通信デバイス３によって送信されたか、又はユーザー通信デバイス３に送信されたデータ量が基地局５（又は例えば、Ｃ／Ｕ分離が実施されている場合には、その基地局に接続される更なる基地局）から受信された／基地局５によって送信されたデータ量と一致するか否かを検証する。
【００５５】
ＭＢＭＳモジュール５１９が存在する場合、このＭＢＭＳモジュール５１９は、ブロードキャスト／マルチキャストシグナリングを用いて通信を制御する。詳細には、ＭＢＭＳモジュール５１９は、基地局５のセルを介して、ＭＢＭＳサービスの送信を制御する。ＭＢＭＳモジュール５１９は、例えば、特定のＭＢＭＳサービスを送信する前に、そのＭＢＭＳサービスを受信することに関する（ユーザー通信デバイス３の）ユーザーの関心を識別する指標を入手することができる。そのような関心の指標は、例えば、基地局５による要求時に、又は別の基地局５による要求時に（例えば、Ｃ／Ｕ分離が実施されている場合）、ユーザー通信デバイス３から受信される場合があるが、そのような指標は、ユーザー通信デバイス３によって（例えば、ユーザーの関心が変化すると）自律的に送信される場合もある。
【００５６】
Ｘ２ＲＲＣコンテナーモジュール５２０は、Ｃ／Ｕ分離が実施されている場合に、隣接する基地局５及び／又はユーザー通信デバイス３と通信するためのＸ２ＲＲＣコンテナーを処理する（生成、送信、及び受信する）。Ｘ２ＲＲＣコンテナーモジュール５２０は、適切にフォーマットされたＲＲＣメッセージを、ＭｅＮＢ５−１を介して送信されるＸ２メッセージに含むことによって、ユーザー通信デバイス３とユーザー通信デバイス３をサービングするＳｅＮＢ５−２との間の（間接的な）ＲＲＣメッセージの送信を容易にする。
【００５７】
上記説明において、ユーザー通信デバイス３及び基地局５は、理解を容易にするために、複数の離散的なモジュール（通信制御モジュール及びＬＴＥ／ＩＳＭ／ＧＮＳＳモジュール等）を有するように説明されている。これらのモジュールは、例えば、既存のシステムが本発明を実施するように変更された或る特定の用途については、このように提供することができるが、他の用途、例えば、最初から本発明の特徴を考慮して設計されたシステムでは、これらのモジュールは、総合的なオペレーティングシステム又はコード内に組み込まれる場合があり、そのため、これらのモジュールは、離散的なエンティティとして認識できない場合がある。
【００５８】
Ｃ／Ｕ分割アーキテクチャー
図５は、分割制御プレーン／ユーザープレーン機能を実施するための図１に示される電気通信システム１の要素の概説である。また、図５はこれらのネットワーク要素のそれぞれのプロトコルスタックも示す。
【００５９】
この図において見ることができるように、（Ｓ１インターフェースを介した）Ｓ１−ＭＭＥシグナリングを用いて移動管理エンティティ（ＭＭＥ）１２とマクロ基地局５−１との間に、かつ（エアインターフェースを介した）ＲＲＣシグナリングを用いてマクロ基地局５−１とユーザー通信デバイス３との間に制御プレーン接続が設けられる。
【００６０】
一方、（Ｓ１インターフェースを介して）コアネットワーク７とピコ基地局５−２との間に、かつエアインターフェース（制御プレーンのために使用されるエアインターフェースとは異なる）を介してピコ基地局５−２とユーザー通信デバイス３との間にユーザープレーン接続が設けられる。
【００６１】
マクロ基地局５−１及びピコ基地局５−２は、例えば、基地局固有の構成及び／又は制御データを交換するために、Ｘ２インターフェースを介して互いに通信することができる。
【００６２】
コアネットワーク７を通してのユーザープレーンデータのルーティングを管理するために、ＭＭＥ１２とサービングゲートウェイ、すなわちＳＧＷ１４との間にＳ５／Ｓ８インターフェースが設けられる。
【００６３】
ここで、上記アーキテクチャーを用いて干渉状況に対処する取り得る解決策が示される。
【００６４】
ＩＤＣ干渉処理
ユーザー通信デバイス３がＭｅＮＢ５−１と最初に通信するとき、制御プレーン接続及びユーザープレーン接続はいずれもマクロ基地局５−１において行われる。この時点で、ＭｅＮＢ５−１は、ユーザー通信デバイス３がＩＤＣ干渉をいかに低減することができるかを規定する幾つかのＩＤＣ構成パラメーターをユーザー通信デバイス３に送信することができる。１つのそのようなパラメーターは、（３ＧＰＰ  ＴＳ３６．３３１において規定されるような）自律拒否レート（autonomous denial rate）であり、それは、ＩＤＣ干渉を軽減しようとするときに、ユーザー通信デバイス３がＭｅＮＢ５−１へのアップリンク送信を阻止するのを許される最大レートを規定する。しかしながら、この拒否レートは、ＭｅＮＢ５−１との通信に対してのみ適用可能である。
【００６５】
ＭｅＮＢ５−１が後にユーザー通信デバイス３のための制御プレーン及びユーザープレーンを分離することに決める場合には、ＭｅＮＢ５−１は、ユーザープレーン（制御プレーンより干渉を起こしやすい場合がある）がＳｅＮＢ５−２を介して提供されるように、ユーザー通信デバイス３を再構成する。最初に、ユーザー通信デバイス３は、ＩＤＣ状況に対処するためのＴＤＭ解決法（例えば、ユーザー通信デバイス３のために既に構成されている自律拒否動作）をサポートし、及び／又はＭｅＮＢ５−１によってサポートされるのとは異なるＴＤＭ解決法（例えば、異なる自律拒否動作又はＤＲＸ構成）をサポートするＳｅＮＢ５−２の能力に関するいかなる情報も有しない場合がある。したがって、最初にＣ／Ｕ分離が構成されるとき、ユーザー通信デバイス３は、ＳｅＮＢ５−２との通信にいかなる自律拒否レート動作も適用しない。
【００６６】
上記のように、基地局５は、任意のそのようにして生じるＩＤＣ干渉に対処するために、基地局５及び／又はユーザー通信デバイス３の動作に関連する情報を互いに交換することができる。したがって、この場合、ＳｅＮＢ５−２は、適切にフォーマットされたＲＲＣメッセージをＸ２ＲＲＣコンテナー内で送信することによって、自らのＩＤＣ構成（例えば、その適用可能な自律拒否レート）をＭｅＮＢ５−１に与えることができる。ＲＲＣメッセージは、ＳｅＮＢ５−２のＩＤＣ構成を含む。この例では、ＭｅＮＢ５−１は、ＳｅＮＢのＲＲＣメッセージ（それゆえ、ＲＲＣメッセージに含まれるＩＤＣ構成）をユーザー通信デバイス３に転送し、それゆえ、ユーザー通信デバイス３は、異なる２組のＩＤＣ構成データを有することになり、２組のＩＤＣ構成データは、ユーザーデバイスが有するＭｅＮＢ５−１及びＳｅＮＢ５−２との通信リンクに関して、検出された干渉状況に対するユーザーデバイスの応答を制御する。
【００６７】
したがって、有益なことに、ユーザー通信デバイス３は、ＭｅＮＢ５−１との通信（すなわち、制御プレーン通信）及びＳｅＮＢ５−２との通信（すなわち、Ｃ／Ｕ分離後のユーザープレーン通信）に対して異なるＩＤＣ構成を適用することができる。ユーザー通信デバイス３がＳｅＮＢ５−２からのＩＤＣ構成を有しない場合には、ユーザー通信デバイス３がユーザープレーンにおいてＩＤＣ干渉を検出すると直ちに、何をすべきかに関して、ＳｅＮＢ５−２の支援を求めなければならないことになる。しかしながら、ユーザー通信デバイス３はＳｅＮＢ５−２からのＩＤＣ構成を有するので、ユーザー通信デバイス３は、ＳｅＮＢ５−２からの支援を要求する前に、そのＩＤＣ構成を用いてＳｅＮＢ５−２との通信に関する任意のＩＤＣ干渉問題を解決しようとすることができる。したがって、ユーザー通信デバイス３がＳｅＮＢ５−２との通信に誤ったＩＤＣ構成を適用する（又はいかなるＩＤＣ構成も適用しない）ことから生じる不要なシグナリング（例えば、ネットワークへの支援要求）を回避することができる。
【００６８】
自律拒否レート動作に関連付けられる１つの利点は、ＩＤＣ干渉が検出されたときでも、基地局送信電力を最適なレベルに保持できることである。そうでない場合には、ユーザー通信デバイス３は、そのスケジューリングされたデータを高い電力で送信しなければならない（すなわち、干渉を補償しなければならない）ことになる。さらに、ユーザー通信デバイス３が、ＩＤＣ干渉の場合に自律拒否を実行するように構成されない場合には、サービング基地局５は、ユーザー通信デバイスとの間のリンク問題を想定する場合があり、それゆえ、物理ダウンリンク制御チャネル（ＰＤＣＣＨ）上の送信電力を高める場合がある。
【００６９】
さらに、自律拒否は、ＩＳＭ送信を拒否することによって重要なＲＲＣメッセージを送信できるように、及び／又はＬＴＥ送信を拒否することによって重要なＩＳＭメッセージを送信できるように、ユーザー通信デバイスが接続を維持するための方法を提供するので有益である。
【００７０】
さらに、ＭｅＮＢ５−１及びＳｅＮＢ５−２ごとに独立したＩＤＣ構成が与えられるので、ＭｅＮＢ５−１との通信に対して、ＳｅＮＢ５−２との通信とは異なるＩＤＣ構成を適用することができ、それらの信号はＩＤＣ干渉に対して異なる許容度を有する場合がある（例えば、スモールセルは、マクロセルより干渉を受けやすい場合がある）。
【００７１】
有利なことに、ユーザー通信デバイス３は、ＭｅＮＢ５−１を介して、ＳｅＮＢ５−２との制御シグナリング（例えば、ＩＤＣ状況に対処するための支援要求）を通信することもできる。詳細には、ユーザー通信デバイス３は、適切にフォーマットされたメッセージ（例えば、ＲＲＣメッセージ）をＭｅＮＢ５−１に送信することができ、ＭｅＮＢ５−１はそのメッセージ又はメッセージの内容を、２つの基地局を接続するＸ２インターフェースを介して（例えば、Ｘ２ＲＲＣコンテナーを用いて）ＳｅＮＢ５−２に転送する。同様に、ＳｅＮＢ５−２は、適切にフォーマットされたメッセージ（例えば、ＲＲＣメッセージ）をＭｅＮＢ５−１に（Ｘ２ＲＲＣコンテナーにおいて）送信することによって、ユーザー通信デバイス３に制御シグナリング（例えば、応答メッセージ及び／又は要求）を送信することができ、その後、ＭｅＮＢ５−１はそのメッセージをユーザー通信デバイス３に転送する。
【００７２】
したがって、基地局５は、適切にフォーマットされたＲＲＣコンテナーを用いて、基地局間に設けられるＸ２インターフェースを介してそのような情報及び制御シグナリングを交換する。それゆえ、ユーザー通信デバイス３がＳｅＮＢ５−２との制御プレーン接続を有しない場合であっても、そのようなＸ２ＲＲＣコンテナーを用いて、ユーザー通信デバイス３とＳｅＮＢ５−２との間の適切なＲＲＣ接続を（ＭｅＮＢ５−１を介して）提供することができる。
【００７３】
動作−デバイス内共存
ここで、この実施形態において、ユーザー通信デバイス３と、ＭｅＮＢ５−１と、ＳｅＮＢ５−２との間で送信されるメッセージに関する更に詳細な説明が（図６を参照しながら）与えられる。詳細には、図６は、ユーザー通信デバイス３、ＭｅＮＢ５−１及びＳｅＮＢ５−２によって実行されるデバイス内共存手順を示す例示的なタイミング図である。
【００７４】
この例では、ステップＳ６００において包括的に示されるように、ユーザー通信デバイス３は最初に、ＭｅＮＢ５−１のセル（複数の場合もある）（すなわち、このユーザー通信デバイス３のためにＭＣＧに含まれるセル（複数の場合もある）６Ａ／６Ｂ）のための自律拒否パラメーターを適用するように構成される。そのような自律拒否パラメーターは、ＭｅＮＢ５−１によって与えられるデフォルトパラメーター及び／又は特定のパラメーターを含む場合がある。しかしながら、ユーザー通信デバイス３のためのユーザープレーンはＳｅＮＢ５−２を介してルーティングされるので、この段階において、ユーザー通信デバイス３は、ユーザープレーントラフィックを搬送するセル（複数の場合もある）６Ｃ〜６Ｄにおいて生じるＩＤＣ状況にそのままでは対処することはできない。
【００７５】
適用可能な標準規格によれば、ＭｅＮＢ５−１及びＳｅＮＢ５−２の両方のセルにおいて用いられる周波数がＩＤＣ問題を有すると予想される場合であっても、単一自律拒否パラメーター（すなわち、単一ＩＤＣ構成）がネットワークによってユーザー通信デバイス３に与えられる。例えば、ネットワークは、ＭｅＮＢ５−１及びＳｅＮＢ５−２の両方のための自律拒否パラメーターとして、「２００サブフレームあたり２サブフレーム」を規定することができる。言い換えると、ネットワークは、ＩＤＣ干渉が検出された場合に、この干渉がＭｅＮＢ５−１のセルにおいて検出されるか、ＳｅＮＢ５−２のセルにおいて検出されるかにかかわらず、そのＵＥのためにスケジューリングされた２００サブフレームのうち２サブフレームまで拒否する権限をユーザー通信デバイス３に与える。
【００７６】
しかしながら、この例では、有益なことに、ＭｅＮＢ５−１及びＳｅＮＢ５−２のために別々の自律拒否パラメーターを構成し、ＳｅＮＢ５−２によって適用されるパラメーターについてユーザー通信デバイス３に通知することができる。例えば、ＳｅＮＢ５−２は、低い（例えば、最小の）自律拒否パラメーター値をサポートする場合があり、ＭｅＮＢ５−１は、それより高い値をサポートする場合がある（又はその逆の場合がある）。
【００７７】
それゆえ、ステップＳ６０１において示されるように、ＳｅＮＢ５−２は適切にフォーマットされたシグナリングメッセージ（例えば、Ｘ２ＲＲＣコンテナー）を生成し（Ｘ２ＲＲＣコンテナーモジュール５２０を使用する）、ＭｅＮＢ５−１に送信し、このメッセージには、ユーザー通信デバイス３のためのＩＤＣ構成パラメーターが含まれる。この例では、ＳｅＮＢ５−２は、ＭｅＮＢ５−１に送信されるＸ２シグナリング（コンテナー）内の適切なＲＲＣメッセージに「ＩＤＣ−ｃｏｎｆｉｇ」情報要素（ＩＥ）を含む。実効的には、Ｘ２を介してのＲＲＣコンテナー内にＩＤＣ構成が存在することは、ＳｅＮＢ５−２がＩＤＣ機構をサポートすることをＭｅＮＢに暗に知らせる。したがって、有利なことに、ＭｅＮＢ５−１及びＳｅＮＢ５−２が別のメッセージを用いてそのような情報を交換する必要はない。
【００７８】
この実施形態では、ＳｅＮＢ５−２のＲＲＣメッセージは、ユーザー通信デバイス３がこのメッセージに応答するときに、ＭｅＮＢ５−１がその応答をＳｅＮＢ５−２に転送できるように（ＭｅＮＢ自体によって生成される通常のＲＲＣメッセージの場合のように自ら処理するのではない）、適切なメッセージ識別子（例えば、「トランザクション識別子」ＩＥ）に関連付けられる。ＭｅＮＢ５−１は、その関連付けられるトランザクション識別子に基づいて全てのメッセージを追跡することができ、所定の数以下のメッセージが並列に実行されるのを確実できることは理解されよう。その代わりに、又はそれに加えて、ＭｅＮＢ５−１が任意のＳｅＮＢ固有ＲＲＣ応答をＳｅＮＢ５−２に（トランザクション識別子が存在するか否かにかかわらず）転送することができ、ＭｅＮＢ固有ＲＲＣ応答のみを処理するように、ＲＲＣメッセージは、ＲＲＣ要求を発信する（又は対応するＲＲＣ応答を終端する）基地局（ＳｅＮＢ／ＭｅＮＢ）を識別する情報も含むことができる。
【００７９】
ＳｅＮＢ５−２からＲＲＣメッセージを受信するのに応答して、ＭｅＮＢ５−１は、ステップＳ６０３において、ＳｅＮＢ５−２によって生成されたＲＲＣメッセージ（又は、ＳｅＮＢ５−２のメッセージを含むか、若しくはそのメッセージに対応する異なるメッセージ）をユーザー通信デバイス３に送信する。このメッセージは、ＳｅＮＢ５−２によって適用される自律拒否パラメーターを規定する「ＩＤＣ−ｃｏｎｆｉｇ」ＩＥを含む。好ましくは、ＭｅＮＢ５−１は、ＳｅＮＢ５−２から受信された同じパラメーターをユーザー通信デバイス３に送信するが、場合によっては、ＭｅＮＢ５−１がＳｅＮＢ５−２によって与えられる構成を無効にするのが有益／必要な場合があることは理解されよう。ＭｅＮＢ５−１がＳｅＮＢ５−２のメッセージをユーザー通信デバイス３に転送する前に、ＭｅＮＢ５−１は、ＭｅＮＢ５−１とユーザー通信デバイス３との間の通信のために使用される専用の暗号鍵を用いてメッセージを暗号化することは理解されよう。
【００８０】
したがって、ステップＳ６０５において包括的に示されるように、ここで、ユーザー通信デバイス３は、ＩＤＣ干渉の場合に、ＳｅＮＢ５−２との通信のための正確なパラメーターを適用することができ、それゆえ、ＩＤＣ干渉に自力で（例えば、受信されたパラメーターに基づいて）対処できない場合を除いて、ユーザー通信デバイス３はネットワークの支援を求める必要はない。
【００８１】
ステップＳ６０７において、ＳｅＮＢ５−２のための構成を受信するのに成功したことを確認するために、ユーザー通信デバイス３は適切にフォーマットされた確認メッセージを生成し、ＭｅＮＢ５−１に送信する。
【００８２】
ステップＳ６００を参照しながら上記で論じられたように、ユーザー通信デバイス３は、制御プレーン通信のために、ＭｅＮＢ５−１のためのパラメーターを適用し続けることに留意されたい。
【００８３】
ステップＳ６１５〜Ｓ６２０は、ＳｅＮＢ５−２によって提供されるＩＤＣ構成がユーザー通信デバイス３によって使用されるときの例示的な状況を示す。
【００８４】
具体的には、ステップＳ６１５において、ユーザー通信デバイス３は、ＬＴＥ及び非ＬＴＥ通信技術を使用する同時通信から生じる干渉を検出する。最初に、ユーザー通信デバイス３は、受信されたＩＤＣ構成パラメーターを適用し、スケジューリングされた送信のうちの幾つかの部分を拒否することによって干渉に対処しようと試みる。しかしながら、ユーザー通信デバイス３が、拒否される送信の最大許容数に達した後であっても干渉が持続する場合には、ユーザー通信デバイス３は、ＩＤＣ状況をネットワークに知らせる必要がある。そのために、ユーザー通信デバイス３は、サービング基地局５に（例えば、「ＩｎＤｅｖｉｃｅＣｏｅｘＩｎｄｉｃａｔｉｏｎ」メッセージのような適切なＲＲＣメッセージにおいて）送信するために支援情報（例えば、ＴＤＭ支援情報）を生成する。
【００８５】
この場合、干渉はユーザー通信デバイス３のユーザープレーン通信に影響を及ぼすので、ユーザー通信デバイス３は、ＳＣＧ（すなわち、ユーザープレーン通信のためにユーザー通信デバイス３によって現在使用されているセル（複数の場合もある）６Ｃ／６Ｄ）のための支援情報を生成する。詳細には、ユーザー通信デバイス３は、干渉を受けているＳＣＧに属する影響を受けた周波数／セルごとに、干渉を回避するためにＳｅＮＢ５−２がユーザー通信デバイス３との通信を再構成するのを支援する情報を識別する支援情報を適切な情報要素（例えば、「ｔｄｍ−ＡｓｓｉｓｔａｎｃｅＩｎｆｏ」ＩＥ）内に含むことができる。ユーザー通信デバイス３がＭｅＮＢ５−１及びＳｅＮＢの両方との通信に対する干渉を検出する場合、ユーザー通信デバイス３は、ＭｅＮＢ５−１及びＳｅＮＢ５−２の両方のための影響を受けた周波数の単一のリスト、すなわち、ＩＤＣ干渉を受けている任意のセル６Ａ〜６Ｄを列挙する共通の「ａｆｆｅｃｔｅｄＣａｒｒｉｅｒＦｒｅｑＬｉｓｔ−ｒ１１」ＩＥを与えることができる。ただし、ユーザー通信デバイス３は、所望により、別々のリスト（ＳｅＮＢ５−２及びＭｅＮＢ５−１の各々について１つずつ）を送信することができる。しかしながら、ユーザー通信デバイス３とＭｅＮＢ５−１との間の通信構成がユーザー通信デバイスとＳｅＮＢ５−２との間の通信構成と大きく異なる場合があるので、ユーザー通信デバイス３は、基地局５−１及び５−２のそれぞれに別々の「ｔｄｍ−ＡｓｓｉｓｔａｎｃｅＩｎｆｏ」ＩＥを送信し、それぞれの基地局５がその送信に関してＩＤＣ干渉問題に対処するのを助けることになる異なる支援情報を与えることが好ましい。支援情報は、例えば、干渉する信号を回避するのを助けることになる推奨ＤＲＸサイクル長（例えば、「ｄｒｘ−ＣｙｃｌｅＬｅｎｇｔｈ」ＩＥ）、ＤＲＸオフセット（例えば、「ｄｒｘ−Ｏｆｆｓｅｔ」ＩＥ）及びＤＲＸアクティブ時間（例えば、「ｄｒｘ−ＡｃｔｉｖｅＴｉｍｅ」ＩＥ）のうちの１つ又は複数を含むことができる。ユーザー通信デバイス３は、ＤＲＸ支援情報を与える代わりに（又はそれに加えて）、検出されたＩＤＣ干渉に関連付けられるサブフレームパターンの指標を与えることもできる。そのようなサブフレームパターンは、例えば、適切な「ｉｄｃ−ＳｕｂｆｒａｍｅＰａｔｔｅｒｎＬｉｓｔ」ＩＥ（複数の場合もある）を用いて与えることができる。「ＩｎＤｅｖｉｃｅＣｏｅｘＩｎｄｉｃａｔｉｏｎ」メッセージ及び関連する情報要素（フィールド）の更なる詳細は、３ＧＰＰ  ＴＳ３６．３３１標準規格のセクション６．２．２において確認することができ、その内容は引用することにより本明細書の一部をなす。
【００８６】
次に、ユーザー通信デバイス３は、ステップＳ６１７において、適切にフォーマットされたメッセージ（例えば、「ＩｎＤｅｖｉｃｅＣｏｅｘｉｓｔｅｎｃｅ」ＲＲＣメッセージ）を（ＲＲＣモジュール３１４を用いて）生成し、ＭｅＮＢ５−１に送信し、このメッセージには、ＳＣＧのための支援情報が（例えば、ユーザー通信デバイス３によって提供される適切な情報要素、例えば、任意の（ＳｅＮＢ固有）「ａｆｆｅｃｔｅｄＣａｒｒｉｅｒＦｒｅｑＬｉｓｔ−ｒ１１」ＩＥ及び／又は「ｔｄｍ−ＡｓｓｉｓｔａｎｃｅＩｎｆｏ」ＩＥに）含まれる。図６には示されないが、ユーザー通信デバイス３は、適切な場合には、このメッセージに任意のＭｅＮＢ固有情報要素を含むこともできる。
【００８７】
それに応じて、干渉がＳｅＮＢ５−２のセルに影響を及ぼすことを確認すると、ＭｅＮＢ５−１は、ステップＳ６１９において、適切にフォーマットされたシグナリングメッセージを（Ｘ２ＲＲＣコンテナーモジュール５２０を用いて）生成し、ＳｅＮＢ５−２に送信し、このメッセージには、ユーザー通信デバイス３によって提供される（ＳｅＮＢ固有の）支援情報（例えば、Ｓ６１７において受信された「ＩｎＤｅｖｉｃｅＣｏｅｘＩｎｄｉｃａｔｉｏｎ」ＲＲＣメッセージ及び任意の情報要素）が含まれる。
【００８８】
このメッセージに基づいて、ＳｅＮＢ５−２は（その干渉管理モジュール５１６を用いて）、ユーザー通信デバイス３との（ユーザープレーン）通信に適切な解決法（この例では、ＴＤＭ解決法）を適用する。例えば、干渉管理モジュール５１６は、報告されたＩＤＣ干渉を低減又は解消することができるようなタイムスロットをスケジュールするように（例えば、不連続送信／受信（ＤＴＸ／ＤＲＸ）動作を適用するように）、スケジューラーモジュール５１５に命令することができる。ステップＳ６２０において、干渉管理モジュール５１６は、ＩＤＣ干渉が低減又は解消されるように、スケジューラーモジュール５１５にＦＤＭ解決法を適用する（例えば、異なる周波数を割り当てる）ように、及び／又は電力解決法を適用するように（例えば、使用される送信電力を変更／低減することによる）命令することもできることに留意されたい。
【００８９】
いずれの場合も、Ｃ／Ｕ分離の場合にユーザー通信デバイス３とＳｅＮＢ５−２との間にＲＲＣ接続が存在しない場合であっても、ＳｅＮＢ５−２のセル（複数の場合もある）のために適したＩＤＣ構成を適用することができる。さらに、ユーザー通信デバイス３からＭｅＮＢ５−１に適切なシグナリングメッセージを送信することによって、そしてＭｅＮＢ５−１がＳｅＮＢ５−２にＩＤＣ状況に関連する情報を（Ｘ２ＲＲＣコンテナーを用いて）転送することによって、ユーザー通信デバイス３はＳｅＮＢ５−２のセル（複数の場合もある）に関して生じているＩＤＣ状況を報告することができる。
【００９０】
したがって、有益なことに、Ｃ／Ｕ分離に関与する基地局５−１及び５−２ごとにＩＤＣ機能を構成し、各基地局５−１及び５−２のセルに関してユーザー通信デバイス３から支援情報を入力し、それにより、任意のＩＤＣに実効的に、種々のネットワーク間での過剰なシグナリングを必要とすることなく対処することができる。
【００９１】
Ｘ２ＲＲＣコンテナーの使用は、ＩＤＣ干渉への対処以外のシナリオにおいても有益な場合があることは理解されよう。そのような他のシナリオの例が以下に図７〜図９を参照しながら説明される。
【００９２】
動作−カウンターチェック手順
図７は、ユーザー通信デバイス３、ＭｅＮＢ５−１及びＳｅＮＢ５−２によって実行されるカウンターチェック手順を示す例示的なタイミング図である。
【００９３】
３ＧＰＰ  ＴＳ３６．３３１のセクション５．３．６．１は、一般的なカウンターチェック手順を記述しており、その手順は、ユーザー通信デバイスに割り当てられた各データ無線ベアラー（ＤＲＢ）において送信／受信されたデータ量を検証するようにそのユーザー通信デバイスに要求するために、Ｅ−ＵＴＲＡＮによって使用される場合がある。具体的には、ユーザー通信デバイスは、ＤＲＢごとに、「ＣＯＵＮＴ」パラメーターの最上位ビットが、ネットワークによって受信／送信されたデータ量に対応する値（複数の場合もある）としてＥ−ＵＴＲＡＮによって示される値（複数の場合もある）と一致するか否かをチェックするように（そのサービング基地局によって）要求される。その要求に応答して、ユーザー通信デバイスは、そのサービング基地局に、「一致する」か、又は「一致しない」かの指標を送信する。
【００９４】
実効的には、カウンターチェック手順によって、Ｅ−ＵＴＲＡＮは、ユーザー通信デバイスに割り当てられたアップリンク／ダウンリンクリソース上で侵入者（「中間者（man in the middle）」）によるパケット挿入を検出できるようになる。ネットワークによって与えられる値とユーザー通信デバイスによって維持される値とが一致せず、潜在的なセキュリティ破損を示すことがある場合には、ネットワークは修正措置を開始し、例えば、影響を受けたＤＲＢ（複数の場合もある）を解放する。
【００９５】
このカウンターチェック手順は、ＳｅＮＢ５−２において終端されるＤＲＢ（複数の場合もある）のために必要とされる場合がある。しかしながら、ユーザー通信デバイス３とＳｅＮＢ５−２との間に直接の制御プレーン（ＲＲＣ）接続は存在しないので、現在の標準規格はこれを考慮しない。それゆえ、この実施形態において、ＳｅＮＢは、ステップＳ７０１において、適切にフォーマットされたシグナリングメッセージを（Ｘ２ＲＲＣモジュール５２０を用いて）生成し、ＭｅＮＢ５−１に送信することによって、サービングしているユーザー通信デバイス３のためのカウンターチェック手順を開始するように構成される。具体的には、ＳｅＮＢ５−２は、ＭｅＮＢ５−１に送信するＸ２メッセージ内に、「ＣｏｕｎｔｅｒＣｈｅｃｋ」ＲＲＣメッセージを含み、ユーザー通信デバイス３によってカウンターチェック手順が実行されるように要求する。また、ＳｅＮＢ５−２は、その要求内に、ＳｅＮＢ５−２を介してユーザー通信デバイス３のための送信／受信されるデータ量に対応する値（例えば、関連するカウンターの最上位ビット）も含む。
【００９６】
このメッセージに応答して、ＭｅＮＢ５−１は、ステップＳ７０３において、ＳｅＮＢ５−２によって生成されたＲＲＣカウンターチェックメッセージ（又はＳｅＮＢ５−２のメッセージに対応する異なるメッセージ）をユーザー通信デバイス３に送信する。このメッセージは、ユーザー通信デバイス３が要求されたチェックを実行できるように、ＳｅＮＢ５−２によって与えられたカウンター値（すなわち、その最上位ビット）を含む。上記のように、ＭｅＮＢ５−１がＳｅＮＢ５−２のメッセージをユーザー通信デバイス３に転送する前に、ＭｅＮＢ５−１は、ＭｅＮＢ５−１とユーザー通信デバイス３との間の通信のために使用される専用の暗号鍵を用いて、メッセージを暗号化する。
【００９７】
ステップＳ７０５において包括的に示されるように、ユーザー通信デバイス３は、ＭｅＮＢ５−１から受信された要求に基づいて、ＳｅＮＢ５−２のＤＲＢ（複数の場合もある）に対して要求されるカウンターチェックを（そのＬＴＥモジュール３１３を用いて）実行する。
【００９８】
その後、ユーザー通信デバイス３は、カウンターチェックの結果をネットワークに知らせるために、ステップＳ７０７において、適切にフォーマットされたカウンターチェック応答メッセージを（そのＲＲＣモジュール３１４を用いて）生成し、ＭｅＮＢ５−１に送信する。ステップＳ７０９において、ＭｅＮＢ５−１は、適切にフォーマットされたＸ２ＲＲＣコンテナー（カウンターチェックの結果を含む）を用いて、ユーザー通信デバイス３の応答（又はそれに対応するメッセージ）をＳｅＮＢ５−１に転送する。
【００９９】
ユーザー通信デバイス３の応答を受信すると、ＳｅＮＢ５−２は引き続き、ユーザー通信デバイス３に関してセキュリティ侵害（例えば、「中間者」攻撃）が生じているか否かを判断する。具体的には、ユーザー通信デバイス３からの応答が、ＳｅＮＢ５−２によって与えられたカウンター値がユーザー通信デバイス３によって送信／受信されたデータ量と一致することを示す場合には、ＳｅＮＢ５−２は現在のカウンターチェック手順を終了する（すなわち、パケット挿入の発生は判断されなかった）。それゆえ、この場合、カウンターチェックが実行されたベアラーは解放される必要はなく、ユーザー通信デバイス３は、そのベアラーを（少なくとも、後続のカウンターチェック手順及び／又はハンドオーバーまで）使用し続けることができる。
【０１００】
しかしながら、ユーザー通信デバイス３からの応答が、ＳｅＮＢ５−２によって与えられたカウンター値がユーザー通信デバイス３によって送信／受信されたデータ量と一致しないことを示す場合には、ＳｅＮＢ５−２は、ユーザー通信デバイス３に割り当てられた通信リソース（ＤＲＢ）を用いるユーザー通信デバイス３の代わりに、（例えば、異なる通信デバイスによって）（おそらく不正の）パケット挿入が行われたと判断する。したがって、そのようなパケット挿入が判断された場合には、ＳｅＮＢ５−２は、ステップＳ７１１において、適切にフォーマットされたシグナリングメッセージを（Ｘ２ＲＲＣモジュール５２０を用いて）生成し、ＭｅＮＢ５−１に送信し、影響を受けたベアラー（複数の場合もある）を解放し、及び／又は代わりに異なるベアラーを割り当てるようにＭｅＮＢ５−１に要求する。
【０１０１】
最後に、ステップＳ７２０において、ＭｅＮＢ５−１はＳｅＮＢ５−２の要求に応じ、ＳｅＮＢ５−２からのベアラー解放要求によって示される影響を受けたベアラー（複数の場合もある）を解放する。このステップにおいて、又は後のステップにおいて、ＭｅＮＢ５−１は、ＵＥ３のためのサービス継続性が確保されるように、ユーザー通信デバイス３に異なるベアラーを割り当てる（又はセキュリティパラメーターが更新されている同じベアラーを再び割り当てる）ことができる。
【０１０２】
ステップＳ７０１〜Ｓ７２０は、ＳｅＮＢ５−２がユーザー通信デバイス３のカウンターチェック手順を実行する必要があるときにいつでも（例えば、定期的に、及び／又は関連するカウンターが所定の値に達するときに）繰り返すことができる。
【０１０３】
有利なことに、Ｃ／Ｕ分離が実施されている間に、ユーザー通信デバイス３及びＳｅＮＢ５−２によって維持されるそれぞれのカウンターが一致することを検証することができ、及び／又はユーザー通信デバイス３が無効のカウンターチェック応答を返送する（すなわち、「一致しない」ことを示す）ベアラーの解放をトリガーすることができる。
【０１０４】
動作−ＳＯＮのためのＵＥ情報報告
図８は、ユーザー通信デバイス３、ＭｅＮＢ５−１及びＳｅＮＢ５−２によって実行される情報要求手順を示す例示的なタイミング図である。
【０１０５】
いわゆる、自己組織化ネットワーク（ＳＯＮ）は、ネットワーク要素、例えば、基地局及び／又はユーザー通信デバイス間の通信の動的構成（及び／又は再構成）を容易にする通信技術を利用する。そのようなＳＯＮ技術は、例えば、ネットワーク事業者からの支援を必要とすることなく（例えば、実質的に自動的に）無線アクセスネットワークインフラストラクチャを最適化／更新するために用いられる場合がある。ＳＯＮ機能を容易にするために、基地局５及びユーザー通信デバイス３は、測定結果以外の情報、例えば、ユーザー機器及び／又は基地局の特定の項目のＳＯＮ能力に関連する情報も交換することができる。
【０１０６】
従来では、基地局５がユーザー通信デバイス３のＳＯＮ能力についての情報を要求する場合には、ユーザー通信デバイス３は、ユーザー通信デバイス３を現在サービングしている全てのセルに関連する統計データを報告していた。しかしながら、この実施形態では、ＳｅＮＢ５−２がＳＯＮ情報の要求を開始せず、ＭｅＮＢ５−１がユーザー通信デバイス３からＳＯＮ情報を要求する場合に、ユーザー通信デバイス３は、ＭｅＮＢ５−１のサービングセルに関連する情報のみを報告するように構成される。この場合、ＭｅＮＢ５−１は、ＲＡＣＨ要求がＭｅＮＢ５−１にのみ関連することを規定することになる。
【０１０７】
この動作が図８に示される。具体的には、ステップＳ８０１に示されるように、ＭｅＮＢ５−１は、ＳＯＮ（基地局５−１、５−２及びユーザー通信デバイス３を含む）を構成できるようにするために、適切にフォーマットされたメッセージを生成し、ユーザー通信デバイス３に送信し、ユーザー通信デバイス３からの情報を要求する。この場合、ＭｅＮＢ５−１によって送信されるメッセージは、「ＳＯＮ  ＵＥ情報要求」ＲＲＣメッセージを含み、ユーザー通信デバイス３がＭｅＮＢ５−１のセル６Ａ及び／又は６Ｂに関連するＳＯＮ情報を提供することを規定する。その要求メッセージは、ＳｅＮＢ５−２のセル６Ｃ及び６Ｄのいずれも規定しない。
【０１０８】
このメッセージを受信するのに応答して、ユーザー通信デバイス３は、ステップＳ８０７において、ＭｅＮＢ５−１の情報要求に対する適切にフォーマットされた応答を（ＳＯＮモジュール３２３を用いて）生成し、送信し、規定されたセルのみの場合のＳＯＮ機能に関連するＵＥ固有情報をＭｅＮＢ５−１に知らせる。通常、ＳＯＮ情報は、規定されたセル（この場合には、ＭｅＮＢ５−１のセル６Ａ及び／又は６Ｂ）に固有のランダムアクセスチャネル（ＲＡＣＨ）統計データを含む。例えば、ユーザー通信デバイス３による応答は、セル６Ａ及び／又は６Ｂに関して最後に成功したＲＡＣＨ手順を規定することができる。その報告は、ＳｅＮＢ５−２のセル６Ｃ及び６Ｄのような、他のサービングセルに関するＳＯＮ情報を含まない。これを容易にするために、ユーザー通信デバイス３は、最後に成功したＲＡＣＨがＳｅＮＢ５−２のセル（６Ｃ又は６Ｄ）のうちの１つにおいてであっても、（ＭｅＮＢ５−１の）セル６Ａ／６Ｂに関するＲＡＣＨ情報を記憶するように構成される。従来は、ユーザー通信デバイス３は、セルにかかわらず、最後に成功したＲＡＣＨ手順に関する情報のみを記憶する。
【０１０９】
最後に、ステップＳ８１０において包括的に示されるように、ＭｅＮＢ５−１は、ＳＯＮ機能に関連する受信されたユーザー通信デバイス固有情報を（メモリ５０９に）記憶し、ＭｅＮＢ５−１（及びＳｅＮＢ５−２）が一部を形成する自己組織化ネットワークを構成（再構成）する際に適用する。図８には示されないが、ＭｅＮＢ５−１は、適切な場合には、受信されたＳＯＮ情報を他のＳＯＮエンティティ、例えば、ＳＯＮサーバーに転送するように構成できることは理解されよう。
【０１１０】
動作−ブロードキャスト／マルチキャストサービスの提供
図９は、ユーザー通信デバイス３、ＭｅＮＢ５−１及びＳｅＮＢ５−２によって実行されるブロードキャスト／マルチキャストサービス手順を示す例示的なタイミング図である。
【０１１１】
マルチメディアブロードキャスト／マルチキャストサービス（ＭＢＭＳ）は、共通のベアラー（例えば、ＭＢＭＳベアラー）を用いて、複数の基地局（ＭｅＮＢ５−１及びＳｅＮＢ５−１等）を介して一群の加入者のためのデータ（コンテンツ）を協調送信することを指している。複数のユーザー（すなわち、それぞれのユーザー通信デバイス）のためのデータを通信するためにそのような共通のベアラーを使用するとき、そのサービスを受信している加入者（ユーザー通信デバイス）ごとに別々の専用ベアラーを用いるのと比べて、ネットワークの全体負荷を低減することができる。しかしながら、十分な数のユーザーがコンテンツを受信することに関心があるときにのみ、幾つかのサービスがＭＢＭＳを介して提供される（そうでない場合には、サービスは通常の専用ベアラーを介して提供される場合がある）。それゆえ、ユーザー通信デバイスは、ブロードキャスト／マルチキャストベアラーを介して受信することに関心があるサービスに関する適切な指標（例えば、ＭＢＭＳ関心指標）を与えるように、ネットワークによって要求される場合がある。そのようなＭＢＭＳ関心は通常、適切にフォーマットされたＲＲＣメッセージにおいてサービング基地局に与えられる。したがって、ＭＢＭＳ対応基地局ごとに、ＭＢＭＳの提供が必要とされるか否かを判断することができる（対象のユーザー数によって決まる）。
【０１１２】
二重接続性の場合、ＭｅＮＢ５−１及びＳｅＮＢ５−２は、ユーザー通信デバイス３の任意の示された関心及び能力を前提としてＭＢＭＳサービス（複数の場合もある）及び／又は任意の非ＭＢＳＭサービス（例えば、ユニキャストサービス）をユーザー通信デバイス３が受信できるのを確実にすることに協調して取り組む。以下の表１は、二重接続性の場合に取り得る種々のＭＢＭＳシナリオを要約する。
【０１１３】
【表１】
0006465326.tif 000002
【０１１４】
上記のシナリオのうちの幾つかは問題を起こさない場合があり、及び／又は既存の手順を用いて対処される場合があるが（例えば、ＭＢＭＳ周波数がサービングセルグループの一部であるとき）、現在の標準規格は、シナリオ＃４の場合に、ユーザー通信デバイス３にＭＢＭＳサービスを提供する解決法を与えない。
【０１１５】
しかしながら、以下の例では、ＭＢＭＳ周波数がＳｅＮＢ５−２下にある種々のシナリオ（シナリオ＃４を含む）に対処するために、Ｘ２ＲＲＣ手順が適用される。
【０１１６】
最初に、ステップＳ９０１において包括的に示されるように、ネットワーク（例えば、ＭｅＮＢ５−１）が、利用可能なＭＢＭＳサービス（そして場合によっては、そのようなＭＢＭＳサービスが送信される周波数）を広告する。
【０１１７】
次に、ステップＳ９０５において、ユーザー通信デバイス３は、ユーザー通信デバイス３のユーザーが受信するのに関心がある特定のＭＢＭＳサービスを（例えば、ＭＢＭＳモジュール３２５を用いて）検出する。
【０１１８】
それゆえ、ユーザー通信デバイス３は、ステップＳ９０６において、適切にフォーマットされたシグナリングメッセージ（例えば、「ｍｂｍｓＩｎｔｅｒｅｓｔＩｎｄｉｃａｔｉｏｎ」ＲＲＣメッセージ）を（ＭＢＭＳモジュール３２５を用いて）生成し、ＭｅＮＢ５−１に送信し、このメッセージには、ＭＢＭＳサービスを識別する情報（及び場合によっては、ＭＢＭＳサービスが送信されることになる周波数及び／又はユーザーを識別する情報）が含まれる。
【０１１９】
ＭｅＮＢ５−１は、各セル６Ａ〜６Ｄにおいてサポートされる周波数に関する情報を維持する。したがって、ステップＳ９０７において、ＭｅＮＢ５−１は、要求されたＭＢＭＳサービスに関連付けられるセル（すなわち、ＭＢＭＳサービスの周波数に関連付けられるセル）を決定する。ＭｅＮＢ５−１が、ユーザー通信デバイス３がＭＢＭＳサービスを受信したい周波数がユーザー通信デバイス３によって（例えば、ＳｅＮＢ５−２を介して）既に使用されていると判断するとき、ＭｅＮＢ５−１はステップＳ９０９に進む。
【０１２０】
しかしながら、この例では、ユーザー通信デバイス３による要求は、ＭｅＮＢ５−１によってサポートされないが、ＳｅＮＢ５−２によってサポートされる周波数を示す。しかしながら、示された周波数をサポートするＳｅＮＢ５−２のセルは、ユーザー通信デバイス３のための現在のＳＣＧに含まれない。この場合、ＭＢＭＳセルがＳＣＧに追加されるか（ユーザー通信デバイス３がキャリアアグリゲーション（ＣＡ）をサポートする場合。その場合、ユーザー通信デバイスは異なるキャリア周波数上で同時に通信することができる）、又はユーザー通信デバイス３がキャリアアグリゲーションをサポートせず、そのため、ＳｅＮＢ５−２の異なるキャリア周波数上で通信できない場合には、ＳｅＮＢ５−２の現在のサービングセルはＭＢＭＳセルに変更されなければならない。したがって、ユーザー通信デバイス３がＳＣＧに含まれない周波数を報告するとき、ＭｅＮＢ５−１は、ユーザー通信デバイス３がキャリアアグリゲーション（ＣＡ）をサポートするか否かを検証する。ユーザー通信デバイス３がＣＡをサポートする場合には、ＭｅＮＢ５−１は、（Ｓ９０８において）更なるコンポーネントキャリアとしてＭＢＭＳセル周波数を追加するように、ＳｅＮＢ５−２に要求する。しかしながら、ユーザー通信デバイス３がＣＡをサポートしない場合には、ＭｅＮＢ５−１は、（Ｓ９０８において）ユーザー通信デバイス３をその現在のセルからＭＢＭＳセルにハンドオーバーする（すなわち、ＳｅＮＢ５−２の既存のサービングセルをＭＢＭＳセルに置き換える）ように、ＳｅＮＢ５−２に要求する。
【０１２１】
ステップＳ９０９において、ＭｅＮＢ５−１は、適切にフォーマットされたＸ２ＲＲＣコンテナーを用いて、ユーザー通信デバイス３の関心指標（又はそれに対応するメッセージ）をＳｅＮＢ５−１に送信する。
【０１２２】
それゆえ、ステップＳ９１０において包括的に示されるように、ＳｅＮＢ５−２は、（その特定の周波数上の）その特定のサービスにおいてユーザーの関心を（メモリ５０９において）登録することができる。最後に、ステップＳ９１１において、ＳｅＮＢ５−２は、そのサービスのために割り当てられた適切な周波数上で要求されたサービスを（ＭＢＭＳモジュール５１９を用いて）送信し始める。ユーザー通信デバイス３がＣＡをサポートしない場合、ＳｅＮＢ５−２は、ＭＢＭＳセル／周波数を用いて、ユーザー通信デバイス３に、ＭＢＭＳサービス及び元のユーザープレーン（ユニキャスト）データの両方を送信することになる。
【０１２３】
当然、ステップＳ９２０において包括的に示されるように、ＭｅＮＢ５−１もＭＢＭＳサービスにおいてユーザーの関心を登録することもでき、同じＭＢＭＳサービスを（例えば、異なる周波数上で）、例えば、同じサービスに関心がある他のユーザーに（ステップＳ９２１において）送信することもできる。これにより、有益なことに、適切な場合、例えば、ＭＢＭＳサービスをＳｅＮＢ５−２を介して許容可能な品質で提供できない場合には、ユーザー通信デバイス３はＭｅＮＢ５−１を介してサービスを受信できるようになる。さらに、Ｃ／Ｕ分離が終了されるか、又は再構成される必要がある場合（その場合、ユーザープレーン及び／又はＭＢＭＳサービスはＭｅＮＢ５−１を介して提供される場合がある）、ＭｅＮＢ５−１送信は、バックアップ周波数としての役割を果たすことができる。
【０１２４】
動作−測定構成及び報告
図１０は、ユーザー通信デバイス３、ＭｅＮＢ５−１及びＳｅＮＢ５−２によって実行される測定構成及び報告手順を示す例示的なタイミング図である。
【０１２５】
ユーザー通信デバイス３は、ネットワークによって要求されるような、異なる周波数にわたる受信信号強度及び干渉レベル等の、ユーザー通信デバイス３が受信する異なる信号上でユーザー通信デバイス３が行うことになる異なる測定を規定する測定構成データを設定され、そのような測定の結果をネットワークに報告するように構成される。二重接続性モードの場合、ＭｅＮＢ５−２は、測定構成（すなわち、３ＧＰＰ  ＴＳ３６．３３１において規定される「ｍｅａｓｃｏｎｆｉｇ」情報要素）をユーザー通信デバイス３に与えるように構成される。
【０１２６】
しかしながら、この例では、ＳｅＮＢ５−２が（測定構成モジュール５１４を用いて）、Ｓ１００１において、適切なＸ２ＲＲＣコンテナーを生成し、ＭｅＮＢ５−１に送信することによって、ユーザー通信デバイス３のために測定構成も与える。Ｘ２ＲＲＣコンテナーは、ＳｅＮＢ５−２がユーザー通信デバイス３に実行してもらいたい測定を識別する、ユーザー通信デバイス３のための測定構成データ（例えば、「ｍｅａｓｃｏｎｆｉｇ」ＩＥ）を含む。
【０１２７】
このメッセージを受信するのに応答して、ＭｅＮＢ５−１は、ステップＳ１００３において、ユーザー通信デバイス３にＲＲＣ再構成要求メッセージを送信する。このＲＲＣ再構成メッセージは、ＭｅＮＢ５−１によって生成され、ＭｅＮＢ５−１がユーザー通信デバイス３に実行してもらいたい測定を識別する測定構成データも含むことができる。同様に、ＭｅＮＢ５−１は、ＳｅＮＢ５−２からの測定構成データが存在しないときに、ＭｅＮＢ５−１がユーザー通信デバイス３に実行してもらいたい測定を識別するＲＲＣ再構成メッセージを生成することもできる。
【０１２８】
ステップＳ１００４において、ユーザー通信デバイス３は、（ユーザー通信デバイス３が要求された測定に応じることができる場合には）受信された測定構成の受信に成功したことを確認し、ステップＳ１００５に進む。
【０１２９】
しかしながら、ユーザー通信デバイス３が要求された測定に応じることができない場合には（例えば、ユーザー通信デバイス３が測定構成の一部、例えばＳｅＮＢ５−２の測定にのみ応じることができる場合には）、及び／又はＲＲＣ再構成要求に同じく含まれる場合がある任意の他の構成（物理レイヤ構成、ＲＬＣレイヤ構成、ＭＡＣレイヤ構成等）に応じることができない場合には、ユーザー通信デバイス３はネットワークとの接続を維持することを許されない。その結果として、ＲＲＣ再構成要求が（例えば、所定の時間内に）確認されない場合には、ユーザー通信デバイス３のためのＲＲＣ接続はＭｅＮＢ５−１によって終了される（図１０には示されない）。当然、この場合、ユーザー通信デバイス３は、基地局５のうちの１つを介して通信し続ける必要がある場合には、ネットワークとのＲＲＣ再確立手順を実行することができる。
【０１３０】
ステップＳ１００５において包括的に示されるように、ユーザー通信デバイスが再構成を確認したと仮定すると、ユーザー通信デバイス３は、（信号測定モジュール３２７を用いて）要求された信号測定を実行するように自らを構成する。測定が完了すると、ユーザー通信デバイス３は、ステップＳ１００７において、適切にフォーマットされたＲＲＣメッセージ（例えば、ＲＲＣ測定報告メッセージ）を（報告モジュール３２１を用いて）生成し、送信することに進み、このメッセージには、（信号測定モジュール３２７によって与えられる）要求された測定の結果が含まれる。
【０１３１】
このメッセージを受信するのに応答して、ＭｅＮＢ５−１は、ステップＳ１００９において、ユーザー通信デバイス３のＲＲＣ再構成応答メッセージをＳｅＮＢ５−２に送信し、ＳｅＮＢ５−２は、測定結果を用いて、ステップＳ１０１０において、ユーザー通信デバイス３のためのハンドオーバーを開始することができる（例えば、その測定が、ユーザー通信デバイス３を現在サービングしているＳｅＮＢ５−２のセル６Ｃ／６Ｄより良好な、ユーザー通信デバイス３のための候補セルを示す場合）。代替的には、ステップＳ１００９において、ＭｅＮＢ５−１は、受信されたＲＲＣ再構成応答メッセージから、ＳｅＮＢ５−２に関連する測定結果のみを抽出し、Ｘ２インターフェースを介して適切なＲＲＣコンテナーにおいてこれらの測定結果をＳｅＮＢ５−２に転送することができる。
【０１３２】
変更形態及び代替形態
幾つかの詳細な実施形態が上記で説明されてきた。当業者には理解されるように、これらの実施形態において具現される本発明から依然として利益を享受しながら、上記の実施形態に対する多数の変更形態及び代替形態を実施できる。
【０１３３】
上記の実施形態において、移動電話を基にする通信システムが説明された。当業者には理解されるように、本出願において説明される技法は他の通信システムにおいて利用できる。他の通信ノード又はデバイス（移動しているものであっても、静止しているものであっても）は、例えば、携帯情報端末、スマートフォン、ラップトップコンピューター、ウェブブラウザ等のようなユーザーデバイスを備えることができる。
【０１３４】
上記の実施形態において、ユーザープレーンはＳｅＮＢを介してのみ与えられる。しかしながら、シナリオによっては、ユーザープレーン（の一部）が同じくＭｅＮＢを介して与えられる場合があることは理解されよう。例えば、ボイスオーバーＩＰ（ＶｏＩＰ）サービスがＭｅＮＢを介して提供される場合があり、他のユーザープレーンサービス（ウェブブラウジング等）がＳｅＮＢを介して提供される場合がある。
【０１３５】
ＴＤＭ解決法、自律拒否等をサポートする能力のような、ピコセル関連パラメーターは、ＭＭＥによってマクロ基地局に与えられる場合があることは理解されよう。この場合、図６のステップＳ６０１は省略される場合があり、ＭｅＮＢは、ＭＭＥによって与えられるパラメーターに基づいて、ステップＳ６０３において送信されるＲＲＣメッセージを生成することができる。
【０１３６】
図６の上記の説明において、ＭｅＮＢはステップＳ６０３においてＳｅＮＢのための自律拒否パラメーターを与え、ユーザー通信デバイス３はＭｅＮＢのための任意の既存の（場合によっては異なる）自律拒否パラメーターを適用し続ける。しかしながら、ＭｅＮＢは、ステップＳ６０３において、１組の自律拒否パラメーターを送信する場合があり、ユーザー通信デバイス３は、ＭｅＮＢ及びＳｅＮＢの両方にこれらのパラメーターを適用する場合があることは理解されよう。したがって、Ｃ／Ｕ分離が実施されている間に、（新たな）自律拒否パラメーターを送信することによって、ＭｅＮＢは、ＳｅＮＢもこのＩＤＣ機構をサポートすることをユーザー通信デバイス３に暗に知らせることができる。
【０１３７】
この場合、Ｃ／Ｕ分離が実施されている間にＭｅＮＢからの任意の（新たな）自律拒否パラメーターが存在しない場合、ユーザー通信デバイス３は、ＭｅＮＢ（ＭＣＧ）のみに現在の自律拒否パラメーターを適用（すなわち、限定）し続けることができる。
【０１３８】
図７の上記の説明において、ピコ基地局は、ユーザー通信デバイスにカウンターチェック要求を送信し、ピコ基地局がユーザー通信デバイスのためのベアラーを解放するか否かを判断できるように、マクロ基地局を介してカウンターチェック応答を受信するように説明された。しかしながら、ピコ基地局は、例えば、ステップＳ７０１において、又は別のステップにおいて、それに関するカウンターチェック手順が要求されたピコ基地局セル（複数の場合もある）のためのＰＤＣＰカウントを与えることができることは理解されよう。したがって、マクロ基地局が、ピコ基地局からピコセルのためのＰＤＣＰカウントを（例えば、適切なＸ２ＲＲＣコンテナーにおいて）受信し、ユーザー通信デバイスから対応するカウンターチェック応答を受信する場合には、マクロ基地局は、（ピコ基地局の代わりに）ステップＳ７１０を実行できる場合もある。この場合、ステップＳ７０９及びＳ７１１は省略することができる。
【０１３９】
さらに、ステップＳ９０８が省略される場合がある（又はステップＳ９０８及びＳ９０９が組み合わせられる場合がある）ことは理解されよう。この場合、ＭｅＮＢは、ステップＳ９０９においてＭＢＭＳ関心指標を用いて、ＳＣＧにＭＢＭＳセルを追加するように、又は必要に応じて、ユーザー通信デバイスをＭＢＭＳセルにハンドオーバーするようにＳｅＮＢに（例えば、暗に）要求することができる。
【０１４０】
上記の実施形態では、複数のソフトウェアモジュールが説明された。当業者には理解されるように、それらのソフトウェアモジュールはコンパイルされた形で又はコンパイルされない形で与えられる場合があり、コンピューターネットワーク上の信号として又は記録媒体において、基地局に又はユーザー通信デバイスに供給される場合がある。さらに、このソフトウェアの一部又は全てによって実行される機能は、１つ又は複数の専用のハードウエア回路を用いて実行されてもよい。しかしながら、それらの機能を更新するために、基地局５及びユーザー通信デバイス３を更新することを容易にするので、ソフトウェアモジュールを用いることが好ましい。
【０１４１】
上記の例では、基地局５によって利用される無線アクセス技術は、周波数分割多重（ＦＤＤ）モード又は時分割多重（ＴＤＤ）モードのいずれかに従って動作する。しかしながら、基地局５は任意の他の適切な技法に従って動作することもできることは理解されよう。
【０１４２】
上記の図６の説明では、同じユーザー通信デバイスによって同時にＬＴＥ通信及び非ＬＴＥ通信が実行される。しかしながら、上記の例示的な実施形態はデバイス内共存干渉問題を軽減するのに特に利点を有するが、本発明の幾つかの態様は、１つのユーザー通信デバイスがＬＴＥ  ＲＡＴを用いて通信するが、その付近の別の異なるデバイスが非ＬＴＥ無線技術を用いて通信する状況における干渉を軽減するために利用できることは理解されよう。
【０１４３】
上記の実施形態では、ユーザー通信デバイス３は別々のＬＴＥ、ＧＮＳＳ及びＩＳＭベースバンド回路３００ａ〜３００ｃを備える。各ベースバンド回路３００ａ〜３００ｃは、自らの無線周波数送受信機３０１ａ〜３０１ｃに結合され、専用のアンテナ３０３ａ〜３０３ｃを用いる。ベースバンド回路３００ａ〜３００ｃのうちの幾つか又は全て、送受信機３０１ａ〜３０１ｃのうちの幾つか又は全て、そしてアンテナ３０３ａ〜３０３ｃのうちの幾つか又は全てを１つの構成要素に組み合わせることができることは理解されよう。代替的には、ユーザー通信デバイス３は、自らがサポートするＲＡＴのタイプごとに別々の回路及び／又は別々の送受信機及び／又は別々のアンテナを利用することができる。例えば、Ｂｌｕｅｔｏｏｔｈ及びＷｉ−ＦｉはいずれもＩＳＭ無線アクセス技術であるが、幾つかのユーザー通信デバイスは、別々の回路及び／又は別々の送受信機及び／又は別々のアンテナを用いて、これらの標準規格を実施する。また、所与のＲＡＴが２つ以上のアンテナを必要とするか、又は別々の送信機部分及び／又は受信機部分を使用することも可能である。また、ＬＴＥ機能に加えて、幾つかのユーザー通信デバイスはＧＮＳＳ機能のみを実施し、一方、他のユーザー通信デバイスはＩＳＭ機能のみを実施する場合があることも可能である。
【０１４４】
実施形態が、非ＬＴＥ無線技術の一例としてＩＳＭ送受信機を用いて説明されてきた。しかしながら、本明細書において説明される機構は、他の非ＬＴＥ無線技術（例えば、ＧＮＳＳ）に適用することができる。
【０１４５】
ＩＳＭ技術のリスト：
・Ｂｌｕｅｔｏｏｔｈデバイス
・コードレス電話
・近接場通信（ＮＦＣ）デバイス
・ＨＩＰＥＲＬＡＮ、Ｗｉ−Ｆｉ（ＩＥＥＥ８０２．１１）のようなワイヤレスコンピューターネットワーク
・ＺｉｇＢｅｅ、ＩＳＡ１００．１１ａ、ワイヤレスＨＡＲＴ及びＭｉＷｉのような、ＩＥＥＥ８０２．１５．４に基づくワイヤレス技術
【０１４６】
ＧＮＳＳ技術のリスト：
・ＧＰＳ、ＧＬＯＮＡＳＳ、Ｇａｌｉｌｅｏ、Ｃｏｍｐａｓｓ、Ｂｅｉｄｏｕ、ＤＯＲＩＳ、ＩＲＮＳＳ及びＱＺＳＳのような、広域的又は地域的衛星ナビゲーションシステム
・Ｏｍｎｉｓｔａｒ、ＳｔａｒＦｉｒｅ、ＷＡＡＳ、ＥＧＮＯＳ、ＭＳＡＳ及びＧＡＧＡＮのような広域的又は地域的静止衛星型補強システム
・ＧＲＡＳ、ＤＧＰＳ、ＣＯＲＳ、及びリアルタイムキネマティック（ＲＴＫ）補正を運用するＧＰＳ基準局のような地上型補強システム。
【０１４７】
ステップＳ６１７及びＳ６１９の検討において、ＩＤＣ指標（ＴＤＭ支援）は、「ＩｎＤｅｖｉｃｅＣｏｅｘＩｎｄｉｃａｔｉｏｎ」ＲＲＣシグナリングメッセージに埋め込まれた。代替的には、ＩＤＣ指標は、異なるシグナリングメッセージを用いて送信される場合がある。
【０１４８】
図５には示されないが、場合によっては、ユーザープレーン接続は、ピコ基地局５−２とコアネットワーク７（例えば、ＳＧＷ１２）との間でマクロ基地局５−１を介して、すなわち、それの間に設けられるＸ２インターフェースを用いて、ルーティングすることができる。しかしながら、この場合、円滑な動作（すなわち、非常に高いスループット及び非常に少ない待ち時間）を確保するために、マクロ基地局５−１とピコ基地局５−２との間に、いわゆる「理想的なバックホール」接続が必要とされる場合がある。「理想的なバックホール」の仕様は３ＧＰＰ  ＴＳ３６．９３２（ｖ．１２．１．０）のセクション６．１．３において確認することができ、その内容は引用することにより本明細書の一部をなす。
【０１４９】
３ＧＰＰ用語の用語集
ＢＴ  Ｂｌｕｅｔｏｏｔｈ
ＤＲＢ  データ無線ベアラー
ＤＲＸ  不連続受信
ｅＮＢ  発展型ＮｏｄｅＢ−基地局
Ｅ−ＵＴＲＡ  発展型ＵＭＴＳ地上無線アクセス
Ｅ−ＵＴＲＡＮ  発展型ＵＭＴＳ地上無線アクセスネットワーク
ＦＤＭ  周波数分割多重化
ＧＮＳＳ  グローバルナビゲーション衛星システム
ＧＰＳ  グローバルポジショニングシステム
ＩＤＣ  デバイス内共存干渉回避
ＩＳＭ  産業科学医療（無線帯域）
ＬＴＥ  ロングタームエボリューション（ＵＴＲＡＮの）
ＰＣＧ  プライマリーセルグループ
ＲＡＴ  無線アクセス技術
ＲＲＣ  無線リソース制御
ＲＲＭ  無線リソース管理
Ｒｘ  受信機
ＳＣＧ  セカンダリーセルグループ
ＴＤＭ  時分割多重化
Ｔｘ  送信機
ＵＥ  ユーザー機器
ＤＬ  ダウンリンク−基地局からユーザー通信デバイスへのリンク
ＵＬ  アップリンク−ユーザー通信デバイスから基地局へのリンク
【０１５０】
種々の他の変更形態が当業者には明らかになるはずであり、本明細書において更に詳細には説明されない。上記の実施形態の一部又は全部は、以下の付記のようにも記載されうるが、以下には限られない。
【０１５１】
（付記１）ユーザーデバイスであって、
第１の無線技術を用いて、第１の基地局と制御プレーンデータを通信し、第２の基地局とユーザープレーンデータを通信するように構成される送受信機回路と、
第１の基地局から第１の構成データ及び第２の構成データを受信する手段であって、第１の構成データは、第１の基地局との通信と、上記第１の無線技術及び別の無線技術の共存との結果として生じる干渉を低減しようと試みるように本ユーザーデバイスを構成するための構成データであり、第２の構成データは、上記第２の基地局との通信と、上記第１の無線技術及び別の無線技術の共存との結果として生じる干渉を低減しようと試みるようにユーザーデバイスを構成するための構成データである、手段と、
上記第１の無線技術及び別の無線技術の共存の結果として生じる干渉を検出する手段と、
上記検出された干渉が、上記第１の基地局との通信に関連するか、又は上記第２の基地局との通信に関連するかを識別する手段と、
上記識別する手段が、干渉が上記第１の基地局との通信に関連することを識別する場合には、上記第１の構成データを用いて上記送受信機回路の動作を制御し、上記識別する手段が、干渉が上記第２の基地局との通信に関連することを識別する場合には、上記第２の構成データを用いて上記送受信機回路の動作を制御する手段と、
を備える、ユーザーデバイス。
【０１５２】
（付記２）上記受信する手段は第１の基地局から送信される単一の構成メッセージにおいて上記第１の構成データ及び上記第２の構成データを受信するか、又は第１の基地局から異なる時点で送信される異なる構成メッセージにおいて上記第１の構成データ及び上記第２の構成データを受信するように構成される、付記１に記載のユーザーデバイス。
【０１５３】
（付記３）上記第１の構成データ及び上記第２の構成データはそれぞれの１組の１つ又は複数の自律拒否パラメーターを含む、付記１又は２に記載のユーザーデバイス。
【０１５４】
（付記４）ユーザーデバイスが、送受信機回路の制御が干渉に対処しないと判断する場合、ユーザーデバイスは、第１の基地局に共存メッセージを送信するように構成され、共存メッセージは、上記第１の基地局及び上記第２の基地局によってユーザーデバイスを現在サービングしているセルのサブセットを識別する、付記１〜３のいずれかに記載のユーザーデバイス。
【０１５５】
（付記５）上記識別する手段が、干渉が上記第１の基地局との通信に関連することを識別する場合には、上記共存メッセージは、干渉が関連する第１の基地局のセルのみを識別する、付記４に記載のユーザーデバイス。
【０１５６】
（付記６）上記識別する手段が、干渉が上記第２の基地局との通信に関連することを識別する場合には、上記共存メッセージは、干渉が関連する第２の基地局のセルのみを識別する、付記４に記載のユーザーデバイス。
【０１５７】
（付記７）上記識別する手段が、干渉が上記第１の基地局及び上記第２の基地局の両方との通信に関連することを識別する場合には、上記共存メッセージは、干渉が関連する第１の基地局のセル及び第２の基地局のセルを識別する、付記４に記載のユーザーデバイス。
【０１５８】
（付記８）ユーザーデバイスは、上記共存メッセージ内に、干渉に対処するために上記第１の基地局によって使用するための干渉のパラメーターに関連する第１の支援情報を含み、また、上記共存メッセージ内に、干渉に対処するために上記第２の基地局によって使用するための干渉のパラメーターに関連する第２の支援情報を含むように構成される、付記７に記載のユーザーデバイス。
【０１５９】
（付記９）ユーザーデバイスであって、
第１の無線技術を用いて、第１の基地局と制御プレーンデータを通信し、第２の基地局とユーザープレーンデータを通信するように構成される送受信機回路と、
第１の基地局から第１の構成データを受信する手段であって、第１の構成データは、上記第１の基地局との通信と、上記第１の無線技術及び別の無線技術の共存との結果として生じる干渉を低減しようと試みるように本ユーザーデバイスを構成するための構成データである、手段と、
上記第１の無線技術及び別の無線技術との共存の結果として生じる干渉を検出する手段と、
上記検出された干渉が、上記第１の基地局との通信に関連するか、又は上記第２の基地局との通信に関連するかを識別する手段と、
上記識別する手段が、干渉が上記第１の基地局との通信に関連することを識別する場合には、第１の構成データを用いて送受信機回路の動作を制御し、上記識別する手段が、干渉が上記第２の基地局との通信に関連することを識別する場合には、ｉ）何も措置を講じないか、又はｉｉ）第１の基地局を介して第２の基地局に干渉を報告する手段と、
を備える、ユーザーデバイス。
【０１６０】
（付記１０）マスター基地局デバイスによってユーザーデバイスに制御プレーン接続が提供される間にユーザーデバイスにユーザープレーン接続を提供するように構成されるセカンダリー基地局デバイスであって、本セカンダリー基地局デバイスは、
マスター基地局デバイスと通信するための基地局インターフェースと、
セカンダリー基地局デバイスとの通信と、ユーザーデバイスに送信するための干渉信号の共存との結果として生じる干渉を低減しようと試みるようにユーザーデバイスを構成するための構成データを生成するように構成され、基地局インターフェースを介してマスター基地局デバイスに制御データを送信するように構成される制御モジュールと、
を備え、
制御モジュールは、ユーザーデバイスと上記ユーザープレーンデータを通信するために用いられるセカンダリー基地局デバイスの１つ又は複数のセルにおける干渉を識別するマスター基地局デバイスからの共存メッセージを受信するように構成され、干渉を低減するためにユーザーデバイスのための新たな構成データを生成し、上記基地局インターフェースを介してマスター基地局デバイスを経由してユーザーデバイスに新たな構成データを送信するように構成される、セカンダリー基地局デバイス。
【０１６１】
（付記１１）セカンダリー基地局デバイスによってユーザーデバイスにユーザープレーン接続が提供される間にユーザーデバイスに制御プレーン接続を提供するように構成されるマスター基地局デバイスであって、
上記ユーザーデバイスと制御データを通信するための送受信機回路と、
セカンダリー基地局デバイスと通信するための基地局インターフェースと、
ユーザーデバイスに第１の構成データ及び第２の構成データを送信するように構成される制御モジュールであって、第１の構成データは、上記マスター基地局デバイスとの通信と、干渉信号の共存との結果として生じる干渉を低減しようと試みるようにユーザーデバイスを構成するための構成データであり、第２の構成データは、セカンダリー基地局デバイスとの通信と、干渉信号の共存との結果として生じる干渉を低減しようと試みるようにユーザーデバイスを構成するための構成データである、制御モジュールと、
を備える、マスター基地局デバイス。
【０１６２】
（付記１２）制御モジュールは、上記基地局インターフェースを介してセカンダリー基地局から第２の構成データを受信するように構成される、付記１１に記載のマスター基地局デバイス。
【０１６３】
（付記１３）セカンダリー基地局デバイスによってユーザーデバイスにユーザープレーン接続が提供される間にユーザーデバイスに制御プレーン接続を提供するように構成されるマスター基地局デバイスであって、
上記ユーザーデバイスと制御データを通信するための送受信機回路と、
セカンダリー基地局デバイスと通信するための基地局インターフェースと、
ユーザーデバイスに第１の構成データを送信するように構成される制御モジュールであって、第１の構成データは、上記マスター基地局デバイスとの通信と、干渉信号の共存との結果として生じる干渉を低減しようと試みるようにユーザーデバイスを構成するための構成データであり、また、制御モジュールは、ユーザーデバイスから共存メッセージを受信するように構成され、共存メッセージは、ユーザーデバイスを現在サービングしており、干渉を受けている上記セカンダリー基地局デバイスの１つ又は複数のセルを識別し、また、制御モジュールは、セカンダリー基地局デバイスに、干渉を受けているセカンダリー基地局デバイスの１つ又は複数のセルを識別する制御メッセージを送信するように構成される、制御モジュールと、
を備える、マスター基地局デバイス。
【０１６４】
（付記１４）セカンダリー基地局デバイスによってユーザーデバイスにユーザープレーン接続が提供される間にユーザーデバイスに制御プレーン接続を提供するように構成されるマスター基地局デバイスであって、
上記ユーザーデバイスと制御データを通信するための送受信機回路と、
セカンダリー基地局デバイスと通信するための基地局インターフェースと、
ユーザーデバイスに第１の構成データを送信するように構成される制御モジュールであって、第１の構成データは、上記マスター基地局デバイスとの通信と、干渉信号の共存との結果として生じる干渉を低減しようと試みるようにユーザーデバイスを構成するための構成データであり、また、制御モジュールは、ユーザーデバイスから共存メッセージを受信するように構成され、共存メッセージは、ユーザーデバイスを現在サービングしているセルのサブセットのための支援情報を含む、制御モジュールと、
を備える、マスター基地局デバイス。
【０１６５】
（付記１５）共存メッセージは、ｉ）マスター基地局デバイスのセルだけのための支援情報を含むか、又はｉｉ）セカンダリー基地局デバイスのセルだけのための支援情報を含むか、又はｉｉｉ）マスター基地局デバイスのセルだけのための支援情報を与える第１の情報要素と、セカンダリー基地局デバイスのセルだけのための支援情報を与える第２の情報要素と、
を含む、付記１４に記載のマスター基地局。
【０１６６】
（付記１６）セカンダリー基地局から受信された第２の構成データをユーザーデバイスに送信するように更に構成され、第２の構成データは、セカンダリー基地局デバイスとの通信と、干渉信号の共存との結果として生じる干渉を低減しようと試みるようにユーザーデバイスを構成するための構成データである、付記１４又は１５に記載のマスター基地局。
【０１６７】
（付記１７）マスター基地局デバイスによってユーザーデバイスに制御プレーン接続が提供される間にユーザーデバイスにユーザープレーン接続を提供するように構成されるセカンダリー基地局デバイスであって、本セカンダリー基地局デバイスは、
マスター基地局デバイスと通信するための基地局インターフェースと、
ユーザーデバイスに送信するための制御データを生成し、基地局インターフェースを介してマスター基地局デバイスに制御データを送信することによって、ユーザーデバイスに関連付けられ、セカンダリー基地局において終端される無線ベアラーのためのカウンターチェック手順を開始するように構成される制御モジュールと、
を備え、制御データは、別のデバイスによるパケット挿入をチェックする際に使用するために無線ベアラーにおいてユーザーデバイスに送信されるか、又はユーザーデバイスから受信されるデータ量を示す少なくとも１つのカウント値を含み、制御モジュールは、ユーザーデバイスから上記基地局インターフェースを介してマスター基地局デバイスを経由してカウンターチェック応答を受信するように構成され、セキュリティ侵害が生じているか否かを判断するために応答メッセージを処理し、セキュリティ侵害が生じている場合には、ベアラー解放手順を開始するように構成される、セカンダリー基地局デバイス。
【０１６８】
（付記１８）制御データは、無線ベアラーにおいてユーザーデバイスによって受信されるか、又はユーザーデバイスから送信されるデータ量を検証するようにユーザーデバイスに要求する、ユーザーデバイスのための無線リソース制御（ＲＲＣ）メッセージを含む、付記１７に記載のセカンダリー基地局。
【０１６９】
（付記１９）制御モジュールは、基地局インターフェースを介して、マスター基地局デバイスに、マスター基地局が無線ベアラーを解放し、及び／又は新たな無線ベアラーを割り当てることを要求するメッセージを送信することによって、ベアラー解放手順を開始するように構成される、付記１７又は１８に記載のセカンダリー基地局。
【０１７０】
（付記２０）セカンダリー基地局デバイスによってユーザーデバイスにユーザープレーン接続が提供される間にユーザーデバイスに制御プレーン接続を提供するように構成されるマスター基地局デバイスであって、
セカンダリー基地局デバイスと通信するための基地局インターフェースと、
基地局インターフェースを介してセカンダリー基地局デバイスからユーザーデバイスに関連する制御データを受信するように構成される制御モジュールであって、制御データは、ユーザーデバイスに関連付けられ、セカンダリー基地局において終端される無線ベアラーのためのカウンターチェック手順を開始するための制御データであり、制御データは、別のデバイスによるパケット挿入をチェックする際に使用するために無線ベアラーにおいてユーザーデバイスに送信されるか、又はユーザーデバイスから受信されるデータ量を示す少なくとも１つのカウント値を含み、制御モジュールは、ユーザーデバイスにカウンターチェック手順を実行させるために、ユーザーデバイスに送信するための上記少なくとも１つのカウント値を含むカウンターチェック制御メッセージを生成するように更に構成される、制御モジュールと、
ユーザーデバイスにカウンターチェック制御メッセージを送信し、ユーザーデバイスからカウンターチェック応答を受信し、上記基地局インターフェースを介してセカンダリー基地局デバイスにカウンターチェック応答を送信するための送受信機回路と、
を備える、マスター基地局デバイス。
【０１７１】
（付記２１）制御モジュールは、セカンダリー基地局からベアラー解放要求を受信するように構成され、要求されたベアラーを解放し、及び／又はセカンダリー基地局とユーザーデバイスとの間の新たな無線ベアラーを割り当てるように構成される、付記２０に記載のマスター基地局。
【０１７２】
（付記２２）
制御モジュールは、セカンダリー基地局デバイスからの少なくとも１つのカウント値を含むカウンターチェック制御メッセージを暗号化するように構成される、付記２０又は２１に記載のマスター基地局デバイス。
【０１７３】
（付記２３）セカンダリー基地局デバイスによってユーザーデバイスにユーザープレーン接続が提供される間にユーザーデバイスに制御プレーン接続を提供するように構成されるマスター基地局デバイスであって、本マスター基地局デバイスは、
セカンダリー基地局デバイスと通信するための基地局インターフェースと、
セカンダリー基地局デバイスが自己組織化ネットワーク（ＳＯＮ）ユーザーデバイス情報要求手順を開始しない場合、ランダムアクセスチャネル（ＲＡＣＨ）統計データのＳＯＮユーザーデバイス情報要求を生成し、ユーザーデバイスに送信するように構成される制御モジュールであって、ＳＯＮユーザーデバイス情報要求は、マスター基地局又はセカンダリー基地局によって運用されるセルのサブセットとの通信に関連するＲＡＣＨ統計データが必要とされることを示す、制御モジュールと、
を備える、マスター基地局デバイス。
【０１７４】
（付記２４）制御モジュールは、ランダムアクセスチャネル（ＲＡＣＨ）統計データのＳＯＮユーザーデバイス情報要求を生成し、ユーザーデバイスに送信するように構成され、ＳＯＮユーザーデバイス情報要求は、マスター基地局によって運用されるセルとの通信に関連するが、セカンダリー基地局によって運用されるセルとの通信に関連しないＲＡＣＨ統計データが必要とされることを示す、付記２３に記載のマスター基地局。
【０１７５】
（付記２５）制御モジュールは、ユーザーデバイスから、マスター基地局のセルに関して実行された成功したＲＡＣＨ手順を規定するＲＡＣＨ報告を受信するように構成される、付記２４に記載のマスター基地局。
【０１７６】
（付記２６）ＲＡＣＨ報告は、セカンダリー基地局のセルに関連するＲＡＣＨ手順のための統計データを含まない、付記２５に記載のマスター基地局。
【０１７７】
（付記２７）ユーザーデバイスであって、
第１の無線技術を用いて、第１の基地局と制御プレーンデータを通信し、第２の基地局とユーザープレーンデータを通信するように構成される送受信機回路と、
第１の基地局から自己組織化ネットワーク（ＳＯＮ）ユーザーデバイス情報要求メッセージを受信する手段であって、ＳＯＮユーザーデバイス情報要求メッセージは、ランダムアクセスチャネル（ＲＡＣＨ）統計データを生成し、第１の基地局に送信するようにユーザーデバイスに要求し、ＳＯＮユーザーデバイス情報要求は、本ユーザーデバイスをサービングするセルのサブセットとの通信に関連するＲＡＣＨ統計データが必要とされることを示す、手段と、
セルのサブセットのためのＲＡＣＨ統計データを収集する手段と、
セルのサブセットのためのＲＡＣＨ統計データを第１の基地局に報告する手段と、
を備える、ユーザーデバイス。
【０１７８】
（付記２８）ＳＯＮユーザーデバイス情報要求メッセージは、第１の基地局によって運用されるセルとの通信に関連するが、第２の基地局によって運用されるセルとの通信に関連しないＲＡＣＨ統計データが必要とされることを示す、付記２７に記載のユーザーデバイス。
【０１７９】
（付記２９）第２の基地局によって運用されるセルに関連するＲＡＣＨ統計データの収集を除外するように構成される、付記２８に記載のユーザーデバイス。
【０１８０】
（付記３０）ＲＡＣＨ報告は、セカンダリー基地局のセルに関連するＲＡＣＨ手順のための統計データを含まない、付記２７、２８又は２９に記載のユーザーデバイス。
【０１８１】
（付記３１）セカンダリー基地局デバイスによってユーザーデバイスにユーザープレーン接続が提供される間にユーザーデバイスに制御プレーン接続性を提供するように構成されるマスター基地局デバイスであって、
セカンダリー基地局デバイスと通信するための基地局インターフェースと、
ユーザーデバイスから所望のマルチメディアブロードキャスト／マルチキャストサービス（ＭＢＭＳ）関心指標メッセージを受信する手段と、
ＭＢＭＳサービスがユーザーデバイスを現在サービングしていないセカンダリー基地局のセルによって提供されるべきであると判断する手段と、
セカンダリー基地局にＭＢＭＳ関心指標メッセージを送信する手段と、
ユーザーデバイスを現在サービングしている一群のセカンダリー基地局セルに、ＭＢＭＳサービスを提供することになるセルを追加するか、又はユーザーデバイスをセカンダリー基地局の現在サービングしているセルから、ＭＢＭＳサービスを提供することになるセカンダリー基地局セルにハンドオーバーする手段と、
を備える、マスター基地局デバイス。
【０１８２】
（付記３２）マスター基地局デバイスによってユーザーデバイスに制御プレーン接続が提供される間にユーザーデバイスにユーザープレーン接続を提供するように構成されるセカンダリー基地局デバイスであって、
マスター基地局デバイスと通信するための基地局インターフェースと、
マスター基地局デバイスから、ユーザーデバイスからの所望のマルチメディアブロードキャスト／マルチキャストサービス（ＭＢＭＳ）関心指標メッセージを受信する手段と、
ユーザーデバイスを現在サービングしている一群のセカンダリー基地局セルに、ＭＢＭＳサービスを提供することになるセルを追加するか、又はユーザーデバイスのための現在のサービングセルを、ＭＢＭＳサービスを提供することになるセカンダリー基地局セルに変更する手段と、
を備える、セカンダリー基地局デバイス。
【０１８３】
（付記３３）ユーザーデバイスであって、
第１の基地局と制御プレーンデータを通信し、第２の基地局とユーザープレーンデータを通信するように構成される送受信機回路と、
第１の基地局から構成データを受信する手段であって、構成データは、第１の基地局によって選択されたセル及び第２の基地局によって選択されたセルに対応する異なる周波数上で測定を行うように本ユーザーデバイスを構成するための構成データである、手段と、
構成データによって規定される周波数上で測定を行う手段と、
上記第１の基地局及び上記第２の基地局によって選択されたセルに対応する異なる周波数の測定に関連する測定結果を報告する手段と、
を備える、ユーザーデバイス。
【０１８４】
（付記３４）マスター基地局デバイスによってユーザーデバイスに制御プレーン接続が提供される間にユーザーデバイスにユーザープレーン接続を提供するように構成されるセカンダリー基地局デバイスであって、本セカンダリー基地局デバイスは、
マスター基地局デバイスと通信するための基地局インターフェースと、
セカンダリー基地局によって選択されたセルに関する測定を実行するようにユーザーデバイスを構成するための構成データを生成するように構成され、上記基地局インターフェースを介して第１の基地局に構成データを送信するように構成される制御モジュールと、
を備え、
制御モジュールは、マスター基地局デバイスから、セカンダリー基地局によって送信された構成データに従ってユーザーデバイスによって行われる測定結果を識別する測定報告を受信するように構成される、セカンダリー基地局デバイス。
【０１８５】
（付記３５）セカンダリー基地局デバイスによってユーザーデバイスにユーザープレーン接続が提供される間にユーザーデバイスに制御プレーン接続を提供するように構成されるマスター基地局デバイスであって、
上記ユーザーデバイスと制御データを通信するための送受信機回路と、
セカンダリー基地局デバイスと通信するための基地局インターフェースと、
ユーザーデバイスに第１の構成データ及び第２の構成データを送信するように構成される制御モジュールとであって、第１の構成データは、マスター基地局のためのセルに関する測定を行うようにユーザーデバイスを構成するための構成データであり、第２の構成データは、セカンダリー基地局のためのセルに関する測定を行うようにユーザーデバイスを構成するための構成データである、制御モジュールと、
を備える、マスター基地局デバイス。
【０１８６】
（付記３６）制御モジュールは、ユーザーデバイスから測定報告を受信するように構成され、測定報告は、第１の構成データに応答して得られた測定値と、第２の構成データに応答して得られた測定値とを含み、また、制御モジュールは、少なくとも第２の構成データに対応する測定値をセカンダリー基地局に送信するように構成される、付記３５に記載のマスター基地局デバイス。
【０１８７】
（付記３７）制御モジュールは第１の構成データ及び第２の構成データを組み合わせて共通構成データを生成し、共通構成データをユーザーデバイスに送信するように構成される、付記３５又は３６に記載のマスター基地局デバイス。
【０１８８】
（付記３８）ユーザーデバイスであって、
第１の基地局と制御プレーンデータを通信し、第２の基地局とユーザープレーンデータを通信するように構成される送受信機回路と、
第１の基地局から、第１の基地局及び第２の基地局のうちの少なくとも１つに関して本ユーザーデバイスを再構成するための再構成データを与える無線リソース制御（ＲＲＣ）メッセージを受信する手段と、
本ユーザーデバイスが再構成メッセージに応じることができるか否かを判断する手段と、
本ユーザーデバイスが、再構成メッセージに応じることができないと判断する場合に、ＲＲＣ再確立を実行する手段と、
を備える、ユーザーデバイス。
【０１８９】
（付記３９）マスター基地局デバイスによってユーザーデバイスに制御プレーン接続が提供される間にユーザーデバイスにユーザープレーン接続を提供するように構成されるセカンダリー基地局デバイスであって、
マスター基地局デバイスと通信するための基地局インターフェースと、
セカンダリー基地局に関してユーザーの動作を再構成するための無線リソース制御（ＲＲＣ）再構成データを生成するように構成される制御モジュールと、
を備え、
制御モジュールは、ユーザーデバイスに送信するために第１の基地局にＲＲＣ再構成データを送信するように構成される、セカンダリー基地局デバイス。
【０１９０】
（付記４０）セカンダリー基地局デバイスによってユーザーデバイスにユーザープレーン接続が提供される間にユーザーデバイスに制御プレーン接続を提供するように構成されるマスター基地局デバイスであって、
上記ユーザーデバイスと制御データを通信するための送受信機回路と、
セカンダリー基地局デバイスと通信するための基地局インターフェースと、
ユーザーデバイスに無線リソース制御（ＲＲＣ）再構成メッセージを送信するように構成される制御モジュールであって、ＲＲＣ再構成メッセージは、マスター基地局及びセカンダリー基地局の一方又は両方に関してユーザーデバイスの動作を再構成するためのメッセージである、制御モジュールと、
を備える、マスター基地局デバイス。
【０１９１】
（付記４１）上記制御モジュールは、セカンダリー基地局デバイスからＲＲＣ再構成データを受信するように構成され、ＲＲＣ再構成メッセージにＲＲＣ再構成データを含むように構成される、付記４０に記載のマスター基地局デバイス。
【０１９２】
（付記４２）ユーザーデバイスであって、
第１の無線技術を用いて、第１の基地局及び第２の基地局と通信するための送受信機回路であって、上記第１の基地局を介して制御データを通信し、上記第２の基地局を介して本ユーザーデータを通信するように動作可能である、送受信機回路と、
上記第１の基地局を介した通信と、上記第１の無線技術及び第２の無線技術の共存との結果として生じる干渉を軽減するための構成データを入手する手段と、
上記第１の無線技術及び第２の無線技術の共存との結果として生じる干渉を検出する手段と、上記検出された干渉が上記第１の基地局に関連するか、又は上記第２の基地局に関連するかを識別する手段と、
上記干渉が上記第２の基地局に関連すると識別するのに応答して、上記第１の基地局に、上記第１の無線技術及び第２の無線技術の共存の結果として生じる上記検出された干渉を識別する情報を与える手段と、
を備え、
上記送受信機回路は、上記構成データに基づいて、上記干渉が上記第１の基地局に関連すると識別するのに応答して、検出された干渉を軽減しようとするために第１の基地局との通信を制御するように動作可能である、ユーザーデバイス。
【０１９３】
（付記４３）上記第２の基地局を介した通信と、上記第１の無線技術及び第２の無線技術の共存との結果として生じる干渉を軽減するための構成データを入手する手段を更に備え、
上記第１の無線技術及び第２の無線技術の共存の結果として生じる上記検出された干渉を識別する上記情報を与える前に、上記送受信機回路は、上記構成データに基づいて、上記干渉が上記第２の基地局に関連すると識別するのに応答して、検出された干渉を軽減しようとするために第２の基地局との通信を制御するように動作可能である、付記４２に記載のユーザーデバイス。
【０１９４】
（付記４４）上記送受信機回路が上記構成データに基づいて上記第１の基地局に関連する上記干渉を軽減できない場合には、上記干渉が上記第１の基地局に関連すると識別するのに応答して、上記第１の基地局に、上記第１の無線技術及び第２の無線技術の共存の結果として生じる上記検出された干渉を識別する情報を与える手段を更に備える、付記４２又は４３に記載のユーザーデバイス。
【０１９５】
（付記４５）上記与える手段は、上記第１の基地局に無線リソース制御（ＲＲＣ）メッセージを送信するように動作可能であり、上記ＲＲＣメッセージは上記第１の無線技術及び第２の無線技術の共存の結果として生じる上記検出された干渉を識別する上記情報を含む、付記４２〜４４のいずれかに記載のユーザーデバイス。
【０１９６】
（付記４６）上記第１の基地局を識別する情報は、上記第１の基地局及び／又は上記第２の基地局に関連付けられる少なくとも１つの周波数を含む、付記４２〜４５のいずれかに記載のユーザーデバイス。
【０１９７】
（付記４７）上記構成データは「ｉｄｃ−ｃｏｎｆｉｇ」データを含む、付記４２〜４６のいずれかに記載のユーザーデバイス。
【０１９８】
（付記４８）上記第１の無線技術及び第２の無線技術の共存の結果として生じる上記検出された干渉を識別する上記情報は、影響を受けた周波数を識別する情報を含む、付記４２〜４７のいずれかに記載のユーザーデバイス。
【０１９９】
（付記４９）基地局デバイスであって、
第１の無線技術を用いてユーザーデバイスと通信し、別の基地局と通信するための送受信機回路であって、本基地局デバイスは上記ユーザーデバイスと制御データを通信するように動作可能であり、上記別の基地局デバイスは上記ユーザーデバイスとユーザーデータを通信するように動作可能である、送受信機回路と、
本基地局デバイスを介した通信と、上記第１の無線技術及び第２の無線技術の共存との結果として生じる干渉を軽減するための構成データを入手する手段と、
上記別の基地局デバイスから、上記別の基地局デバイスを介した通信と、上記第１の無線技術及び第２の無線技術の共存との結果として生じる干渉を軽減するための更なる構成データを入手する手段と、
本基地局デバイスを介した通信と、上記第１の無線技術及び第２の無線技術の共存との結果として生じる干渉を軽減するための上記構成データ及び上記更なる構成データを上記ユーザーデバイスに与える手段と、
上記ユーザーデバイスから、上記第１の無線技術及び第２の無線技術の共存の結果として生じる干渉を識別する情報と、上記干渉が上記第１の基地局デバイスに関連するか、又は上記第２の基地局デバイスに関連するかを識別する情報とを入手する手段と、
を備える、基地局デバイス。
【０２００】
（付記５０）第１の無線技術を用いて、第１の基地局と制御プレーンデータを通信し、第２の基地局とユーザープレーンデータを通信するように構成されるユーザーデバイスによって実行される方法であって、
第１の基地局から第１の構成データ及び第２の構成データを受信することであって、第１の構成データは、上記第１の基地局との通信と、上記第１の無線技術及び別の無線技術との共存との結果として生じる干渉を低減しようと試みるようにユーザーデバイスを構成するための構成データであり、第２の構成データは、上記第２の基地局との通信と、上記第１の無線技術及び別の無線技術との共存との結果として生じる干渉を低減しようと試みるようにユーザーデバイスを構成するための構成データであることと、
上記第１の無線技術及び別の無線技術との共存の結果として生じる干渉を検出することと、
上記検出された干渉が、上記第１の基地局との通信に関連するか、又は上記第２の基地局との通信に関連するかを識別することと、
ｉ）上記識別することが、干渉が上記第１の基地局との通信に関連することを識別する場合には、上記第１の構成データを用いて、
ｉｉ）上記識別することが、干渉が上記第２の基地局との通信に関連することを識別する場合には、上記第２の構成データを用いて、上記送受信機回路の動作を制御することと含む、方法。
【０２０１】
（付記５１）上記受信するステップは、ｉ）第１の基地局から送信される単一の構成メッセージにおいて上記第１の構成データ及び上記第２の構成データを受信すること、又はｉｉ）第１の基地局から異なる時点で送信される異なる構成メッセージにおいて上記第１の構成データ及び上記第２の構成データを受信することを含む、付記５０に記載の方法。
【０２０２】
（付記５２）送受信機回路の制御が干渉に対処しないと判断することと、
第１の基地局に共存メッセージを送信することと、
を更に含み、共存メッセージは、上記第１の基地局及び上記第２の基地局によってユーザーデバイスを現在サービングしているセルのサブセットを識別する、付記５０又は５１に記載の方法。
【０２０３】
（付記５３）上記識別することが、干渉が上記第１の基地局との通信に関連することを識別する場合には、上記共存メッセージは、干渉が関連する第１の基地局のセルのみを識別する、付記５２に記載の方法。
【０２０４】
（付記５４）上記識別することが、干渉が上記第２の基地局との通信に関連することを識別する場合には、上記共存メッセージは、干渉が関連する第２の基地局のセルのみを識別する、付記５２に記載の方法。
【０２０５】
（付記５５）上記識別することが、干渉が上記第１の基地局及び上記第２の基地局の両方との通信に関連することを識別する場合には、上記共存メッセージは、干渉が関連する第１の基地局のセル及び第２の基地局のセルを識別する、付記５２に記載の方法。
【０２０６】
（付記５６）第１の無線技術を用いて、第１の基地局と制御プレーンデータを通信し、第２の基地局とユーザープレーンデータを通信するように構成されるユーザーデバイスによって実行される方法であって、
第１の基地局から第１の構成データを受信することであって、第１の構成データは、上記第１の基地局との通信と、上記第１の無線技術及び別の無線技術との共存との結果として生じる干渉を低減しようと試みるようにユーザーデバイスを構成するための構成データである、受信することと、
上記第１の無線技術及び別の無線技術の共存の結果として生じる干渉を検出することと、
上記検出された干渉が、上記第１の基地局との通信に関連するか、又は上記第２の基地局との通信に関連するかを識別することと、
上記識別する手段が、干渉が上記第１の基地局との通信に関連することを識別する場合には、上記第１の構成データを用いて上記送受信機回路の動作を制御し、上記識別することが、干渉が上記第２の基地局との通信に関連することを識別する場合には、ｉ）何も措置を講じないか、又はｉｉ）第１の基地局を介して第２の基地局に干渉を報告することとを含む、方法。
【０２０７】
（付記５７）マスター基地局デバイスによってユーザーデバイスに制御プレーン接続が提供される間にユーザーデバイスにユーザープレーン接続を提供するように構成されるセカンダリー基地局デバイスによって実行される方法であって、
セカンダリー基地局との通信と、ユーザーデバイスに送信するための干渉信号の共存との結果として生じる干渉を低減しようと試みるようにユーザーデバイスを構成するための構成データを生成することと、
基地局インターフェースを介して制御データをマスター基地局デバイスに送信することと、
マスター基地局デバイスから、ユーザーデバイスと上記ユーザープレーンデータを通信するために用いられるセカンダリー基地局デバイスの１つ又は複数のセル上の干渉を識別する共存メッセージを受信することと、
干渉を低減するためにユーザーデバイスのための新たな構成データを生成するとともに、上記基地局インターフェースを介してマスター基地局デバイスを経由してユーザーデバイスに新たな構成データを送信することと、
を含む、方法。
【０２０８】
（付記５８）セカンダリー基地局デバイスによってユーザーデバイスにユーザープレーン接続が提供される間にユーザーデバイスに制御プレーン接続を提供するように構成されるマスター基地局デバイスによって実行される方法であって、
ユーザーデバイスに第１の構成データ及び第２の構成データを送信することを含み、第１の構成データは、上記マスター基地局デバイスとの通信と、干渉信号の共存との結果として生じる干渉を低減しようと試みるようにユーザーデバイスを構成するための構成データであり、第２の構成データは、上記セカンダリー基地局デバイスとの通信と、干渉信号の共存との結果として生じる干渉を低減しようと試みるようにユーザーデバイスを構成するための構成データである、方法。
【０２０９】
（付記５９）ユーザーデバイスに上記第１の構成データ及び上記第２の構成データを送信する前に、基地局インターフェースを介してセカンダリー基地局から第２の構成データを受信することを更に含む、付記５８に記載の方法。
【０２１０】
（付記６０）セカンダリー基地局デバイスによってユーザーデバイスにユーザープレーン接続が提供される間にユーザーデバイスに制御プレーン接続を提供するように構成されるマスター基地局デバイスによって実行される方法であって、
ユーザーデバイスに第１の構成データを送信することであって、第１の構成データは上記マスター基地局デバイスとの通信と、干渉信号の共存との結果として生じる干渉を低減しようと試みるようにユーザーデバイスを構成するための構成データであることと、
ユーザーデバイスから共存メッセージを受信することであって、共存メッセージは、ユーザーデバイスを現在サービングしており、干渉を受けている上記セカンダリー基地局デバイスの１つ又は複数のセルを識別することと、
干渉を受けているセカンダリー基地局デバイスの１つ又は複数のセルを識別する制御メッセージをセカンダリー基地局デバイスに送信することと、
を含む、方法。
【０２１１】
（付記６１）セカンダリー基地局デバイスによってユーザーデバイスにユーザープレーン接続が提供される間にユーザーデバイスに制御プレーン接続を提供するように構成されるマスター基地局デバイスによって実行される方法であって、
ユーザーデバイスに第１の構成データを送信することであって、第１の構成データは上記マスター基地局デバイスとの通信と、干渉信号の共存との結果として生じる干渉を低減しようと試みるようにユーザーデバイスを構成するための構成データであることと、
ユーザーデバイスから共存メッセージを受信することであって、共存メッセージは、ユーザーデバイスを現在サービングしているセルのサブセットのための支援情報を含むことと、
を含む、方法。
【０２１２】
（付記６２）セカンダリー基地局から第２の構成データを受信することであって、第２の構成データは、上記セカンダリー基地局デバイスとの通信と、干渉信号の共存との結果として生じる干渉を低減しようと試みるようにユーザーデバイスを構成するための構成データである、受信することと、
セカンダリー基地局から受信された上記第２の構成データをユーザーデバイスに送信することと、
を更に含む、付記６１に記載の方法。
【０２１３】
（付記６３）マスター基地局デバイスによってユーザーデバイスに制御プレーン接続が提供される間にユーザーデバイスにユーザープレーン接続を提供するように構成されるセカンダリー基地局デバイスによって実行される方法であって、セカンダリー基地局デバイスは、
マスター基地局デバイスと通信するための基地局インターフェースと、
ユーザーデバイスに送信するための制御データを生成し、基地局インターフェースを介してマスター基地局デバイスに制御データを送信することによって、ユーザーデバイスに関連付けられ、セカンダリー基地局において終端される無線ベアラーのためのカウンターチェック手順を開始するように構成される制御モジュールと、
を備え、制御データは、別のデバイスによるパケット挿入をチェックする際に使用するために無線ベアラーにおいてユーザーデバイスに送信されるか、又はユーザーデバイスから受信されるデータ量を示す少なくとも１つのカウント値を含み、
制御モジュールは、ユーザーデバイスから上記基地局インターフェースを介してマスター基地局デバイスを経由してカウンターチェック応答メッセージを受信するように構成され、セキュリティ侵害が生じているか否かを判断するために応答メッセージを処理し、セキュリティ侵害が生じている場合には、ベアラー解放手順を開始するように構成される、方法。
【０２１４】
（付記６４）基地局インターフェースを介して、マスター基地局デバイスに、マスター基地局が無線ベアラーを解放し、及び／又は新たな無線ベアラーを割り当てることを要求するメッセージを送信することによって、ベアラー解放手順を開始することを更に含む、付記６３に記載の方法。
【０２１５】
（付記６５）セカンダリー基地局デバイスによってユーザーデバイスにユーザープレーン接続が提供される間にユーザーデバイスに制御プレーン接続性を提供するように構成されるマスター基地局デバイスによって実行される方法であって、
基地局インターフェースを介してセカンダリー基地局デバイスからユーザーデバイスに関連する制御データを受信することであって、制御データは、ユーザーデバイスに関連付けられ、セカンダリー基地局において終端される無線ベアラーのためのカウンターチェック手順を開始するための制御データであり、制御データは、別のデバイスによるパケット挿入をチェックする際に使用するために無線ベアラーにおいてユーザーデバイスに送信されるか、又はユーザーデバイスから受信されるデータ量を示す少なくとも１つのカウント値を含むことと、
ユーザーデバイスにカウンターチェック手順を実行させるために、ユーザーデバイスに送信するための上記少なくとも１つのカウント値を含むカウンターチェック制御メッセージを生成することと、
ユーザーデバイスにカウンターチェック制御メッセージを送信し、ユーザーデバイスからカウンターチェック応答を受信し、上記基地局インターフェースを介してセカンダリー基地局デバイスにカウンターチェック応答を送信することと、
を含む、方法。
【０２１６】
（付記６６）セカンダリー基地局デバイスからの少なくとも１つのカウント値を含むカウンターチェック制御メッセージを暗号化することを更に含む、付記６５に記載の方法。
【０２１７】
（付記６７）セカンダリー基地局デバイスによってユーザーデバイスにユーザープレーン接続が提供される間にユーザーデバイスに制御プレーン接続を提供するように構成されるマスター基地局デバイスによって実行される方法であって、
セカンダリー基地局デバイスが自己組織化ネットワーク（ＳＯＮ）ユーザーデバイス情報要求手順を開始しない場合、ランダムアクセスチャネル（ＲＡＣＨ）統計データのＳＯＮユーザーデバイス情報要求を生成し、ユーザーデバイスに送信することを含み、ＳＯＮユーザーデバイス情報要求は、マスター基地局又はセカンダリー基地局によって運用されるセルのサブセットとの通信に関連するＲＡＣＨ統計データが必要とされることを示す、方法。
【０２１８】
（付記６８）第１の無線技術を用いて、第１の基地局と制御プレーンデータを通信し、第２の基地局とユーザープレーンデータを通信するように構成されるユーザーデバイスによって実行される方法であって、
第１の基地局から自己組織化ネットワーク（ＳＯＮ）ユーザーデバイス情報要求メッセージを受信することであって、ＳＯＮユーザーデバイス情報要求メッセージは、ランダムアクセスチャネル（ＲＡＣＨ）統計データを生成し、第１の基地局に送信するようにユーザーデバイスに要求し、ＳＯＮユーザーデバイス情報要求は、ユーザーデバイスをサービングしているセルのサブセットとの通信に関連するＲＡＣＨ統計データが必要とされることを示すことと、
セルのサブセットのためのＲＡＣＨ統計データを収集することと、
セルのサブセットのためのＲＡＣＨ統計データを第１の基地局に報告することと、
を含む、方法。
【０２１９】
（付記６９）セカンダリー基地局デバイスによってユーザーデバイスにユーザープレーン接続が提供される間にユーザーデバイスに制御プレーン接続性を提供するように構成されるマスター基地局デバイスによって実行される方法であって、
ユーザーデバイスから所望のマルチメディアブロードキャスト／マルチキャストサービス（ＭＢＭＳ）関心指標メッセージを受信することと、
ＭＢＭＳサービスがユーザーデバイスを現在サービングしていないセカンダリー基地局のセルによって提供されるべきであると判断することと、
セカンダリー基地局にＭＢＭＳ関心指標メッセージを送信することと、
ユーザーデバイスを現在サービングしている一群のセカンダリー基地局セルに、ＭＢＭＳサービスを提供することになるセルを追加するか、又はユーザーデバイスをセカンダリー基地局の現在サービングしているセルから、ＭＢＭＳサービスを提供することになるセカンダリー基地局セルにハンドオーバーすることと、
を含む、方法。
【０２２０】
（付記７０）マスター基地局デバイスによってユーザーデバイスに制御プレーン接続が提供される間にユーザーデバイスにユーザープレーン接続を提供するように構成されるセカンダリー基地局デバイスによって実行される方法であって、
マスター基地局デバイスから、ユーザーデバイスからの所望のマルチメディアブロードキャスト／マルチキャストサービス（ＭＢＭＳ）関心指標メッセージを受信することと、
ユーザーデバイスを現在サービングしている一群のセカンダリー基地局セルに、ＭＢＭＳサービスを提供することになるセルを追加するか、又はユーザーデバイスのための現在のサービングセルを、ＭＢＭＳサービスを提供することになるセカンダリー基地局セルに変更することと、
を含む、方法。
【０２２１】
（付記７１）第１の基地局と制御プレーンデータを通信し、第２の基地局とユーザープレーンデータを通信するように構成されるユーザーデバイスによって実行される方法であって、
第１の基地局から構成データを受信することであって、構成データは、第１の基地局によって選択されたセル及び第２の基地局によって選択されたセルに対応する異なる周波数上で測定を行うようにユーザーデバイスを構成するための構成データであることと、
構成データによって規定される周波数上で測定を行うことと、
上記第１の基地局及び上記第２の基地局によって選択されたセルに対応する異なる周波数の測定に関連する測定結果を報告することと、
を含む、方法。
【０２２２】
（付記７２）マスター基地局デバイスによってユーザーデバイスに制御プレーン接続が提供される間にユーザーデバイスにユーザープレーン接続を提供するように構成されるセカンダリー基地局デバイスによって実行される方法であって、
セカンダリー基地局によって選択されたセルに関連する測定を実行するようにユーザーデバイスを構成するための構成データを生成することと、
基地局インターフェースを介して第１の基地局に構成データを送信することと、
マスター基地局デバイスから、セカンダリー基地局によって送信された構成データに従ってユーザーデバイスによって行われた測定結果を識別する測定報告を受信することと、
を含む、方法。
【０２２３】
（付記７３）セカンダリー基地局デバイスによってユーザーデバイスにユーザープレーン接続が提供される間にユーザーデバイスに制御プレーン接続を提供するように構成されるマスター基地局デバイスによって実行される方法であって、
ユーザーデバイスに第１の構成データ及び第２の構成データを送信することを含み、第１の構成データはマスター基地局のためのセルに関する測定を行うようにユーザーデバイスを構成するための構成データであり、第２の構成データはセカンダリー基地局のためのセルに関する測定を行うようにユーザーデバイスを構成するための構成データである、方法。
【０２２４】
（付記７４）ユーザーデバイスから測定報告を受信することであって、測定報告は、第１の構成データに応答して得られた測定値と、第２の構成データに応答して得られた測定値とを含むことと、少なくとも第２の構成データに対応する測定をセカンダリー基地局に送信することとを更に含む、付記７３に記載の方法。
【０２２５】
（付記７５）第１の基地局と制御プレーンデータを通信し、第２の基地局とユーザープレーンデータを通信するように構成されるユーザーデバイスによって実行される方法であって、
第１の基地局から、第１の基地局及び第２の基地局の少なくとも１つに関してユーザーデバイスを再構成するための再構成データを与える無線リソース制御（ＲＲＣ）メッセージを受信することと、
ユーザーデバイスが再構成メッセージに応じることができるか否かを判断することと、
ユーザーデバイスが、再構成メッセージに応じることができないと判断する場合に、ＲＲＣ再確立を実行することと、
を含む、方法。
【０２２６】
（付記７６）マスター基地局デバイスによってユーザーデバイスに制御プレーン接続が提供される間にユーザーデバイスにユーザープレーン接続を提供するように構成されるセカンダリー基地局デバイスによって実行される方法であって、
セカンダリー基地局に関してユーザーデバイスの動作を再構成するための無線リソース制御（ＲＲＣ）再構成データを生成することと、
ユーザーデバイスに送信するために第１の基地局にＲＲＣ再構成データを送信することと、
を含む、方法。
【０２２７】
（付記７７）プログラマブル通信デバイスに付記５０〜７６のいずれか１項に記載の方法を実行させるためのコンピューター実施可能命令を含む、コンピューター実施可能命令製品。
【０２２８】
本出願は、２０１４年１月３１日に出願された英国特許出願第１４０１７０１．６号を基礎としており、この英国特許出願の優先権の利益を主張する。この英国特許出願の開示は、引用することによりその全体が本明細書の一部をなす。
【図１】
0006465326.tif 000003
【図２】
0006465326.tif 000004
【図３】
0006465326.tif 000005
【図４】
0006465326.tif 000006
【図５】
0006465326.tif 000007
【図６】
0006465326.tif 000008
【図７】
0006465326.tif 000009
【図８】
0006465326.tif 000010
【図９】
0006465326.tif 000011
【図１０】
0006465326.tif 000012